(57)【要約】  ＧＳＭ１ｘ（206）からＧＳＭ（208）へのハンドオフの特徴は、デュアルモード（ＧＳＭ１ｘおよびＧＳＭのモード）のハンドセット（204）をもつＧＳＭ１ｘの加入者が、ＧＳＭ１ｘの受信可能範囲区域からＧＳＭの受信可能範囲区域へシームレスにロームすることを可能にする。この機能は、ＣＤＭＡのＲＡＮを標準のＧＳＭのコアネットワークと統合したＧＳＭ１ｘのシステム設計によって容易にされている。ＧＳＭ１ｘのシステムは、そのエアーインターフェイスとしての標準のＣＤＭＡと、ＭＳＮ（304）への標準のＩＯＳインターフェイスをもつ変更されていないＣＤＭＡのＲＡＮとを使用して構築されている。変更は、ＭＳＮ（304）およびＭＳのみにおいて行われる。【選択図】    図２
2007524278.tif 000002
【特許請求の範囲】
【請求項１】
ＣＤＭＡのネットワークからＧＳＭのネットワークへのハンドオフ方法であり、
移動体がＣＤＭＡの境界セルによってサービスされると判断することと、
移動体がＣＤＭＡの境界セルによってサービスされると判断した後で、候補のＧＳＭのセルのリストを移動体へ送ることと、
候補のＧＳＭのセルのリストを受信した後で、候補周波数サーチ応答メッセージを移動交換ノード（Mobile Switching Node, MSN）へ送ることと、
移動体が周囲のＧＳＭのネットワークを測定することを示す候補周波数サーチ制御メッセージを移動体へ送ることと、
周囲のＧＳＭのネットワークを測定することと、
測定の報告をＭＳＮへ送ることと、
報告に基づいてハンドオフのためのＧＳＭのセルを選択することとを含む方法。
【請求項２】
ハンドオフメッセージを移動交換ノード（ＭＳＮ）へ送ることをさらに含む請求項１記載の方法。
【請求項３】
選択されたＧＳＭのセルに対応するＧＳＭのＭＳＣへハンドオーバメッセージを送ることをさらに含む請求項１記載の方法。
【請求項４】
移動体がＣＤＭＡの境界セルによってサービスされるかを判断するための手段と、
移動体がＣＤＭＡの境界セルによってサービスされると判断した後で、候補のＧＳＭのセルのリストを移動体へ送るための手段と、
移動体が周囲のＧＳＭのネットワークを測定することを示す候補周波数サーチ制御メッセージを移動体へ送るための手段と、
移動体の周囲のＧＳＭのネットワークの測定についての、移動体からの報告に基づいて、ハンドオフのためのＧＳＭのセルを選択するための手段とを含む移動交換ノード（ＭＳＮ）。
【請求項５】
デュアルモードの移動局であって、
信号を受信および送信するためのアンテナと、
送信機と受信機とを切り換えるために送信機および受信機に結合されたデュープレクサと、
信号を受信するためにデュープレクサに結合された受信機と、
信号を送信するためにデュープレクサに結合された送信機と、
ＣＤＭＡのネットワークへのハンドオフ手続きを行うために使用されるＧＳＭ１ｘのプロトコルスタックと、
ＧＳＭのネットワークへのハンドオフ手続きを行うために使用されるＧＳＭのプロトコルスタックと、
ＣＤＭＡのネットワークとＧＳＭのネットワークとの間でハンドオフを行うために、ＧＳＭ１ｘのプロトコルスタックとＧＳＭのプロトコルスタックとに結合されたプロセッサであって、信号を受信および送信するために受信機および送信機にも結合されたプロセッサとを含むデュアルモードの移動局。
【請求項６】
ＣＤＭＡのネットワークからＧＳＭのネットワークへのハンドオフの方法を行うコンピュータプログラムによって実行可能な命令のプログラムを具体化するコンピュータ読み出し可能媒体であって、方法が、
移動体がＣＤＭＡの境界セルによってサービスされると判断することと、
移動体がＣＤＭＡの境界セルによってサービスされると判断した後で、候補のＧＳＭのセルのリストを移動体へ送ることと、
候補のＧＳＭのセルのリストを受信した後で、候補周波数サーチ応答メッセージを移動交換ノード（ＭＳＮ）へ送ることと、
移動体が周囲のＧＳＭのネットワークを測定することを示す候補周波数サーチ制御メッセージを移動体へ送ることと、
周囲のＧＳＭのネットワークを測定することと、
測定の報告をＭＳＮへ送ることと、
報告に基づいてハンドオフのためのＧＳＭのセルを選択することとを含むコンピュータ読み出し可能媒体。
【発明の詳細な説明】
【技術分野】
【０００１】
米国特許法第１１９条における優先権の主張
本特許出願は、2003年6月18日に出願された仮出願第60/479,777号（“GSM1x Hard Handoff Techniques”）、および2003年12月18日に出願された仮出願第60/531,583号（“GSM1x Supplementary Services”）に対し優先権を主張しており、これらは本出願人に譲渡され、これによって、本明細書において参考文献としてとくに取り上げられている。
【０００２】
分野
本発明は、概ね、通信システムに関し、とくに、ＧＳＭ１ｘとＧＳＭのシステム間のハードハンドオフのためのシステムおよび技術に関する。
【背景技術】
【０００３】
頭辞語
１ｘＲＴＴ−１ｘ無線伝送技術（1x Radio Transmission Technology）
３ＧＰＰ−第三世代パートナーシッププロジェクト(3rd Generation Partnership Project)
Ａｃｋ−肯定応答（Acknowledgement）
ＡＣＭ−アドレス完了メッセージ（Address Complete Message）
ＡＤＤＳ−アプリケーションデータ配信サービス（Application Data Delivery Service）
ＡＧＣ−自動利得制御（Automatic Gain Control）
ＡＭＰＳ−高度モバイルサービス（Advanced Mobile Service）
ＡＰＤＵ−アプリケーションプロトコルデータユニット（Application Protocol Data Unit）
ＢＣＣＨ−同報通信制御チャネル（Broadcast Control Channel）
ＢＳＡＰ−基地局アプリケーションパート（Base Station Application Part）
ＢＳＣ−基地局制御装置（Base Station Controller）
ＢＳＩＣ−基地局識別コード（Base Station Identity Code）
ＢＳＭＡＰ−基地局管理アプリケーションパート（Base Station Management Application Part）
ＢＳＳ−基地局サブシステム（Base Station Subsystem）
ＢＳＳＡＰ−ＢＳＳアプリケーションパート（BSS Application Part）
ＢＳＳＭＡＰ−ＢＳＳ管理アプリケーションパート（BSS Management Application Part）
ＢＴＳ−基地局トランシーバサブシステム（Base Station Transceiver Subsystem）
ＣＤＭＡ−符号分割多元接続（Code Division Multiple Access）
ＣＤＭＡ２０００−第三世代ＣＤＭＡ（Third Generation CDMA）
ＤＬＣＩ−データリンク接続識別子（Data Link Connection Identifier）
ＤＴＡＰ−直接転送アプリケーションパート（Direct Transfer Application Part）
ＥＩＡ−電子機械工業会（Electronic Industries Association）
ＥＴＳＩ−欧州通信標準制定機関（European Telecommunications Standards Institute）
ＦＡＣＣＨ−高速結合制御チャネル（Fast Associated Control CHannel）
ＦＣＣＨ−周波数修正チャネル（Frequency Correction Channel）
ＧＰＳ−グローバルポジショニングシステム（Global Positioning System）
ＧＳＭ−グローバルシステムフォーモバイルコミュニケーションズ（Global System for Mobile communications）
ＧＳＭ１ｘ−ＧＳＭのＭＡＰとＣＤＭＡとの収束（Convergence of GSM-MAP with CDMA）
ＨＬＲ−ホームロケーションレジスタ（Home Location Register）
ＨＰＬＭＮ−ホームＰＬＭＮ（Home PLMN）
ＩＡＭ−最初のアドレスメッセージ（Initial Address Message）
Ｉｄ−識別（Identification）
ＩＯＳ−相互運用性仕様（Inter Operability Specification）
ＩＳ−暫定標準（Interim Standard）
ＬＳＣ−ロケーションサービス（Location Service）
ＭＡＰ−モバイルアプリケーションパート（Mobile Application Part）
ＭＥ−移動装置（Mobile Equipment）
ＭＯ−移動体発信（Mobile Originated）
ＭＰＣ−モバイルポジションセンタ（Mobile Position Center）
ＭＳ−移動局（Mobile Station）
ＭＳＣ−移動交換局（Mobile Switching Center）
ＭＳＭ−移動局モデム（Mobile Station Modem）
ＭＳＮ−移動交換ノード（Mobile Switching Node）
ＭＴ−移動体終端（Mobile Terminated）
ＯＴＤ−観測された時間差（Observed Time Difference）
Ｐ−プロバイダ（Provider）
ＰＬＬ−位相ロックループ（Phase Lock Loop）
ＰＬＭＮ−パブリックランドモバイルネットワーク（Public Land Mobile Network）
ＰＮ−疑似雑音（Pseudo Noise）
ＰＳＭＮ−パイロット強度測定メッセージ（Pilot Strength Measurement Message）
ＲＡＮ−無線アクセスネットワーク（Radio Access Network）
Ｒｅｑ−要求（Request）
ＲＦ−無線周波数（Radio Frequency）
ＲＲ−無線資源（Radio Resource）
Ｒｓｐ−応答（Response）
ＲＴＤ−実時間差（Real Time Difference）
ＲＸ−受信（Receive）
用語
アクティブな組（Active Set）：特定の移動局に割り当てられた順方向トラヒックチャネルを含むＣＤＭＡチャネルと関係付けられたパイロットの組。
【０００４】
候補の組（Candidate Set）：十分な強度で移動局によって受信され、適切に復調されるが、基地局によってアクティブな組の中に置かれていないパイロットの組。アクティブな組、近隣の組、および残りの組も参照。
近隣の組：ハンドオフのための有望な候補であるＣＤＭＡチャネルと関係付けられたパイロットの組。通常、近隣の組は、移動局付近の地理的区域をカバーするＣＤＭＡチャネルと関係付けられたパイロットから成る。アクティブな組、候補の組、残りの組、および構内の近隣の組も参照。
【０００５】
残りの組：これは、アクティブな組、候補の組、および近隣の組内のパイロットのパイロットオフセットを除く、ＰＩＬＯＴ ＩＮＣによって判断される全ての許容パイロットオフセットの組である。アクティブな組、候補の組、および近隣の組も参照。
専用モード：移動体は、ＲＡＮと専用リンクをもっているとき、専用モードであるとみなされる。このリンクは、トラヒックチャネル（Traffic Channel, TCH）または専用制御チャネル（Dedicated Control Channel, DCCH）であり得る。
【発明の開示】
【課題を解決するための手段】
【０００６】
本発明の第１の態様では、ＣＤＭＡのネットワークからＧＳＭのネットワークへのハンドオフ方法は、ＣＤＭＡの境界セルによってサービスされると判断することと、移動体がＣＤＭＡの境界セルによってサービスされると判断した後で、候補のＧＳＭのセルのリストを移動体へ送ることと、候補のＧＳＭのセルのリストを受信した後で、候補周波数サーチ応答メッセージを移動交換ノード（Mobile Switching Node, MSN）へ送ることと、移動体が周囲のＧＳＭのネットワークを測定することを示す候補周波数サーチ制御メッセージを移動体へ送ることと、周囲のＧＳＭのネットワークを測定することと、測定の報告をＭＳＮへ送ることと、報告に基づいてハンドオフのためのＧＳＭのセルを選択することとを含む。
【０００７】
別の態様では、移動交換ノード（ＭＳＮ）は、移動体がＣＤＭＡの境界セルによってサービスされるかを判断するための手段と、移動体がＣＤＭＡの境界セルによってサービスされると判断した後で、候補のＧＳＭのセルのリストを移動体へ送るための手段と、移動体が周囲のＧＳＭのネットワークを測定することを示す候補周波数サーチ制御メッセージを移動体へ送るための手段と、移動体の周囲のＧＳＭのネットワークの測定についての、移動体からの報告に基づいて、ハンドオフのためのＧＳＭのセルを選択するための手段とを含む。
【０００８】
さらに別の態様では、デュアルモードの移動局は、信号を受信および送信するためのアンテナと、送信機と受信機とを切り換えるために送信機および受信機に結合されたデュープレクサと、信号を受信するためにデュープレクサに結合された受信機と、信号を送信するためにデュープレクサに結合された送信機と、ＣＤＭＡのネットワークへのハンドオフ手続きを行うために使用されるＧＳＭ１ｘのプロトコルスタックと、ＧＳＭのネットワークへのハンドオフ手続きを行うために使用されるＧＳＭのプロトコルスタックと、ＣＤＭＡのネットワークとＧＳＭのネットワークとの間でハンドオフを行うために、ＧＳＭ１ｘのプロトコルスタックとＧＳＭのプロトコルスタックとに結合されたプロセッサであって、信号を受信および送信するために受信機および送信機にも結合されたプロセッサとを含む。
【０００９】
本発明の他の実施形態は、本発明の種々の実施形態が例示的に示され、記載されている次の詳細な説明から当業者には容易に明らかになることが分かる。理解されるように、本発明は、他の、および異なる実施形態が可能であり、そのいくつかの細部は、種々の他の点で、本発明の意図および技術的範囲から逸脱しないならば、変更が可能である。したがって、図面および詳細な説明は、制限的ではなく、本質的に例示的であるとみなされる。
【発明を実施するための最良の形態】
【００１０】
実施形態において、ＧＳＭ１ｘからＧＳＭへのハンドオフの特徴は、デュアルモード（ＧＳＭ１ｘおよびＧＳＭのモード）のハンドセットをもつＧＳＭ１ｘの加入者が、ＧＳＭ１ｘの受信可能範囲区域からＧＳＭの受信可能範囲区域へシームレスにロームすることを可能にする。この機能は、ＣＤＭＡのＲＡＮを標準のＧＳＭのコアネットワークと統合したＧＳＭ１ｘのシステム設計によって容易にされている。ＧＳＭ１ｘのシステムは、そのエアーインターフェイスとしての標準のＣＤＭＡと、ＭＳＮへの標準ＩＯＳインターフェイスをもつ変更されていないＣＤＭＡのＲＡＮとを使用して構築されている。変更は、ＭＳＮおよびＭＳのみにおいて行われる。ハンドオフのシナリオには、２つの主要なタイプがある：
・アイドルのハンドオフ；
・専用モード（呼中）のハンドオフ。
【００１１】
アイドルモードでは、設計は、次のシナリオを支援する：
・ＧＳＭ１ｘからＧＳＭ；
・ＧＳＭからＧＳＭ１ｘ。
専用モードでは、設計は、ＧＳＭ１ｘからＧＳＭへのハードハンドオフを支援する。ＧＳＭからＧＳＭ１ｘへのハンドオフは支援されない。
【００１２】
ネットワークトポロジ
ＧＳＭ１ｘおよびＧＳＭの両者の能力をもつＭＳＮは、１つのＧＳＭ１ｘのＭＳＮと１つのＧＳＭのＭＳＣとを同じ物理的な箱に収めたと考えられ得る。実施形態では、図１に示されているように、ＧＳＭ１ｘのＭＳＮは、ＭＡＰ−Ｅインターフェイスを使用してＧＳＭのＭＳＣに接続されている。
【００１３】
図１は、実施形態にしたがって、高レベルのネットワークトポロジを示している。ＧＳＭ１ｘのＭＳＮのＡ102は、ＧＳＭのＥインターフェイス106を介してシグナリングシステム７（Signaling System 7, SS7）104と通信する。ＧＳＭ１ｘのＭＳＮのＢ108は、ＧＳＭのＥインターフェイス110を介してシグナリングシステム７ 104と通信する。ＧＳＭ１ｘのＭＳＮのＣ112は、ＧＳＭのＥインターフェイス114を介してシグナリングシステム７ 104と通信する。
【００１４】
ＧＳＭ１ｘ102は、例えば、それぞれ、ＩＯＳのＡインターフェイス120およびＩＯＳのＡインターフェイス122を介して、ＧＳＭ１ｘのＢＳＳのＡ.１ 116およびＧＳＭ１ｘのＢＳＳのＡ.２ 118と通信する。ＧＳＭのＭＳＣのＢ108は、Ａインターフェイス126を介してＧＳＭのＢＳＳのＢ124と通信する。ＧＳＭのＭＳＣのＣ112は、それぞれ、Ａインターフェイス132およびＡインターフェイス134を介して、ＧＳＭのＢＳＳのＣ.１ 128およびＧＳＭのＢＳＳのＣ.２ 130と通信する。
【００１５】
ＧＳＭ１ｘのＭＳは、ＩＳ−２０００のエアーインターフェイスまたはＧＳＭのエアーインターフェイスの何れかによって動作する能力をもつ。
ＧＳＭ１ｘ
ネイティブのＧＳＭ
システム設計は、要求される変更が、ＧＳＭ１ｘのＭＳＮまたはＧＳＭ１ｘのＭＳに制限されることを仮定している。他のＧＳＭ１ｘのシステムの構成要素、とくに、ＲＡＮは、変更されることができない。
【００１６】
移動局の特徴
実施形態において、ＧＳＭ１ｘの移動局は、次の特徴をもつ。
ＭＳは、ＧＳＭ１ｘおよびＧＳＭのデュアルプロトコルスタックをもつ。
ＭＳは、ＧＳＭ１ｘ（１ｘＲＴＴ）およびＧＳＭのエアーインターフェイスを支援する。
ＭＳは、関連するＧＳＭ１ｘおよびＧＳＭのＲＦ周波数帯域を支援する。
【００１７】
ＭＳは、ＧＳＭ１ｘモードの動作とＧＳＭモードの動作とを切り換える能力をもつ。
ＭＳは、ＧＳＭ１ｘの認証手続きの新しいバージョンを支援する。この手続きは、認証応答メッセージの一部として、移動ＧＳＭの階級値のＭＳＮへの伝送を定めている。さらに加えて、ＭＳは、ＳＩＭ上に暗号化キー系列を記憶している。
【００１８】
ＭＳは、ＧＳＭ１ｘとＧＳＭとの間でＨＨＯ手続きを行う一方で、レイヤ２のメッセージの保全性を支援する。
ＭＳは、技術間ハンドオフコマンドを、（専用モード中に）それが契約されていないときは、無視する。
ＭＳは、ＧＳＭ１ｘモードで動作する一方で、規定されたＧＳＭの移動局の階級値を読み出すことができる。
【００１９】
移動交換ノードの特徴
実施形態において、ＭＳＮは、次の特徴をもつ。
ＭＳＮは、ＭＡＰ−Ｅインターフェイスをもち、所与のＧＳＭのＭＳＣと通信する。
ＭＳＮは、ＩＯＳインターフェイスをもち、１つ以上の１ｘＲＴＴのＢＳＣユニットと通信する。
【００２０】
ＭＳＮは、ＭＡＰ−Ｅインターフェイスの定義を支援する。
ＭＳＮは、ＩＯＳインターフェイスの定義を支援する。
ＭＳＮは、ＧＳＭ１ｘの認証手続きを支援する。これらの手続きは、認証応答メッセージの一部として、移動ＧＳＭの階級値のＭＳＮへの伝送を定めている。
【００２１】
ＭＳＮは、ＭＳ認証手続きの一部として伝送された移動ＧＳＭの階級値情報を維持して、新しい認証応答メッセージが受信されているときに、この情報を更新する。
ＭＳＮは、少なくともＧＳＭのＲ９９の定義を支援する。
無線アクセスネットワークの特徴
実施形態において、ＲＡＮは、次の特徴をもつ：
外部セルの定義を支援する能力をもつ。これらのセルは、異なるネットワークに属していると定義され、ＨＨＯ手続きをトリガするために使用される；
オプションのハンドオフが実行されたというメッセージ（HNDOFF PERFORMED message）を支援する。
【００２２】
設計
実施形態において、アイドルモードのハンドオフのためのシステム設計は、ＧＳＭ１ｘからＧＳＭおよびＧＳＭからＧＳＭ１ｘへのアイドルモードのハンドオフのシナリオを含む。実施形態において、専用モードのハンドオフのシステム設計は、ＧＳＭ１ｘからＧＳＭへの専用モードのハンドオフを含む。設計は、メッセージの流れと、移動体内で行うことを必要とする手続きとを定義している。
【００２３】
実施形態において、異なるハンドオフのシナリオのシステム設計は、移動体が１つのみのＲＦチェーンをもつことと、ゲートされた伝送が、移動体とＲＡＮとの両者によって支援されていないこととを仮定している。
実施形態において、チップは、ＣＤＭＡ１ｘまたはＧＳＭのプロトコルの何れかを支援することができるデュアルスタックを含む。このチップは、１つのみのＲＦチェーンをもち、したがって、ＣＤＭＡ１ｘのネットワークまたはＧＳＭのネットワークの何れかへ同調することができる。実施形態にしたがって、ＧＳＭ１ｘのスタックとＧＳＭのスタックとの間のプロトコルの切り換えは、図２に示されている。図２は、実施形態にしたがって、ＧＳＭ１ｘとＧＳＭとのプロトコルスタック間の切り換えと関係付けられたタイミング、すなわち、ＧＳＭ１ｘからＧＳＭへの内部の流れ（ＲＲレイヤのみ）を示す。
【００２４】
ステップ220では、ＭＳＮ202は、ハンドオーバコマンドを移動体204へ送る。実施形態では、移動体204は、デュアルモードのハンドセットである。移動体204は、ＧＳＭ１ｘのスタック206およびＧＳＭのスタック208を含む。ハンドオーバコマンドを受信した後で、ステップ222では、ＧＳＭ１ｘのスタック206はＧＳＭ1ｘモードを一時停止する。ステップ224では、ＧＳＭ１ｘのスタック206は、スタンドバイモードに移る。ステップ226では、ＧＳＭ１ｘのスタック206は、無線資源ハンドオーバ要求、すなわちＲＲ ＩＮＴＥＲＲＡＴ ＨＡＮＤＯＶＥＲ ＲＥＱをＧＳＭのスタック208へ送る。ステップ228では、ＧＳＭのスタック208は、ＧＳＭのハンドオーバを行う。ステップ230では、ＧＳＭのスタック208は、ＲＲ ＩＮＴＥＲＲＡＴ ＨＡＮＤＯＶＥＲ ＣＮＦをＧＳＭ１ｘのスタックへ送る。ステップ232では、ＧＳＭ１ｘのスタックはＧＳＭ１ｘモードを止めて、イナクティブに遷移する。
【００２５】
技術間ハードハンドオフ手続きの一部として、移動体はＧＳＭのネットワークを得る。ＧＳＭのネットワークの獲得は、いくつかのステップで行われる。移動体は、ＭＳＮから受信する、ＧＳＭの共通チャネル、すなわちＦＣＣＨおよびＳＣＨに関する情報に基づいて、ＧＳＭ信号を獲得し始める。
【００２６】
ＧＳＭ信号の獲得
図３は、実施形態にしたがって、ＧＳＭ信号獲得のためのメッセージの流れを示している。ステップ302では、ＧＳＭのＭＳＮ304から移動体306へのハンドオーバコマンドは、新しいＧＳＭチャネル、その特性、使用する電力レベル、新しいＳＡＣＣＨ、等に関する情報を含む。ステップ308では、移動体306は、無線を適切な周波数に同調させ、ＦＡＣＣＨ上で“ハンドオーバアクセス”メッセージ310をＧＳＭのＢＴＳ312へ送り始める。
【００２７】
実施形態では、ＧＳＭ１ｘからＧＳＭへのハンドオーバは非同期であり、移動体306は、適用するタイミングを前もって判断しなければならないであろう。したがって、移動体306は、ステップ312においてＲＩＬ３−ＲＲ物理情報メッセージを待つであろう。ＲＩＬ３−ＲＲ物理情報メッセージは、移動体が新しいＢＴＳと同期するのを助ける。ステップ314では、移動体306は、非同期平衡モード設定（Set Asynchronous Balanced Mode, SABM）メッセージをＧＳＭのＢＴＳ312へ送る。ステップ316では、ＧＳＭのＢＴＳ312は、ＵＡフレームを移動体306へ送る。タイミング情報が復元されると、ステップ318において、移動体306は、ハンドオーバ処理を完了するであろう。
【００２８】
技術間のハンドオフ
ＧＳＭ１ｘとＧＳＭとの間で技術間のハンドオフを行うために、ＭＳは、２つの技術のハードウエア（１ｘＲＴＴおよびＧＳＭ）と、２つの技術のプロトコルスタック（ＧＳＭ１ｘおよびＧＳＭ）とをもつべきである。
実施形態では、ＭＳは、２つ以上の周波数帯域（２つの帯域または３つの帯域）を支援する。しかしながら、ＭＳが１つのみのＲＸチェーンをもつ実施形態では、ＭＳは、２つ以上の受信技術チェーンを同時にアクティブにすることができない。２つの基本的なハンドオフのシナリオ、すなわち、アイドルモードのハンドオフおよび専用モードのハンドオフがある。専用モードでは、ＭＳが契約しているサービスのタイプに基づく別の分類がある。音声および回線交換データサービスは、パケット交換データサービスと異なる。次のセクションでは、アイドルモードおよび専用モードにおけるＭＳＣ間のハンドオフ（回線交換サービスのみ）を扱う。
【００２９】
アイドルモードのシステム選択
実施形態では、移動体は、次の場合において、アイドルのハードハンドオフを行うであろう：
パワーアップ時（動作モードの選択）；
現在の動作モード技術（ＧＳＭ１ｘまたはＧＳＭ）の信号受信が、ある特定の所与の閾値よりも低いとき（システムは失われていると考えられる）；
ネットワークによってそうするように命令されたとき；
ユーザの選択。
【００３０】
パワーアップ
移動体は、パワーアップされているとき、最後の既知のモード、すなわち、ＧＳＭ１ｘまたはＧＳＭの何れかを使用することを試みるであろう。移動体は、１分以内の間に、最後の既知モードを得るのに失敗すると、第２の動作モードに戻って、それを得ることを試みるであろう。移動体は、１分以内の間に、選択されたモードを得るのに再び失敗すると、元のモードに戻るであろう。このとき、移動体は、獲得処理を示す前に、ＴＢＤ時間の間、スリープモードに入るであろう。スリープモードに入ると、バッテリ消費は低減するであろう。処理全体は、移動体が動作モードの1つを得ることができるまで続くであろう。移動体は、動作モードを切り換えるとき、その動作モードの定義された正規のシステム判断アルゴリズムを行なう。
【００３１】
システムの損失
移動体は、自分がキャンプしているモードの信号を失うと、パワーアップモードの獲得に類似したやり方で動作するであろう。移動体は、最後の既知のモード、すなわち、ＧＳＭ１ｘまたはＧＳＭ上でキャンプすることを試みるであろう。移動体は、ＴＢＤ連続試行の間に、最後の既知のモードを得ることに失敗すると、第２の動作モードに戻り、それを得ることを試みるであろう。移動体は、１分以内の間に、このモードを得ることに失敗すると、元のノードへ戻るであろう。それが獲得を試みるであろう時間は、１分以内のみの間である。この処理は、移動体が動作モードの１つを得ることができるまで続くであろう。移動体は、深いスリープモードの後で起きると、パワーアップのために定められたのと同じ手続きを行うであろう。
【００３２】
ネットワークコマンド
ある特定の場合において、ＧＳＭモード上でキャンプしている移動体に、それがキャンプしているモードを選択し直して、ＧＳＭ１ｘモードに切り換わるように命令することが望ましい。デュアルモード（ＧＳＭ１ｘ／ＧＳＭ）の移動体は、最初は、ＧＳＭモードにキャンプしていて、そこでは、ＧＳＭのみの受信可能範囲が与えられていて、ＧＳＭ１ｘのモードの受信可能範囲区域に入ると、ＧＳＭ１ｘモードに移るように命令され得る。この動作を支援する幾つかの技術がある。
【００３３】
位置に基づくＳＭＳセル同報通信（SMS Cell Broadcast, SMSCB）
このセクションの残りは、この目的のためにＳＭＳセル同報通信を使用することについて詳しく説明する。
ＳＭＳセル同報通信は、ＧＳＭ０３．４１に記載されている。このサービスは、所与の予め定められた地理的区域内の全ての移動体に定期的にメッセージを送ることを可能にする。このサービスを使用して、オペレータは、ＧＳＭ１ｘのオーバーレイ受信可能範囲区域の縁端部上の全てのＧＳＭのセルに固有のメッセージを送ることができる。このメッセージは、デュアルモードの移動体に、ＧＳＭ１ｘの技術に同調するように命令するであろう。
【００３４】
ＧＳＭでは、ＳＭＳＣＢの技術は、異なるタイプのメッセージ（気象情報、ニュース、等）を伝送するのに使用される。各ユーザは、ある特定の組のサービスに加入することができる。アイドルのＨＨＯに必要な特定のサービスに適応するために、２つのオプションがある。
【００３５】
１．ある特定の大域サービス番号が割り振られるであろう。これは、ＧＳＭ標準の変更を要求するであろう。これは、より魅力のないアプローチであり、ＧＳＭ標準を変更することは、達成することが困難であり、避けられるべきである。
２．オペレータ専用サービス番号が割り当てられるであろう。この割り当ては、オペレータ専用であり、ＳＩＭレベル（ＥＥＣＢＭＩ、ＥＦＣＢＭＩＤ、およびＥＦＣＢＭＩＲ）における移動体の規定の一部であるだろう。これは、より好適なアプローチであり、何れのＧＳＭ標準の変更も要求しない。
【００３６】
ＧＳＭとＧＳＭ１ｘとの間の不要な技術間のアイドルのハードハンドオフを避けるために、移動体が少なくとも２つの連続するＳＭＳＣＢメッセージを受信した後でのみ、このハードハンドオフをトリガすることが推奨される。
ＳＭＳセル同報通信（ＳＭＳＣＢ）は、書込み−置換要求（ＧＳＭ０３．４１のセクション９．１．２参照）をセル同報通信局（Cell Broadcast Center, CBS）からＢＳＣへ送ることによって開始される。この要求は、次のフィールドを含む。
【００３７】
メッセージ識別子
ＧＳＭ０３．１４のセクション９．２．１参照。ＧＳＭ０３．１４のセクション９．３．２．２の定義を使用すると、範囲１１００内の値、すなわち９ＦＦＦ（１６進法）を選択し、ＭＥサーチリスト上の値を含むことが推奨される。提案される範囲は、現在は、保留されているが、禁止されていない。
【００３８】
新しい連続番号
ＧＳＭ０３．１４のセクション９．２．３参照。ＧＳＭ０３．１４のセクション９．３．２．１の定義を使用すると、この１６ビットのフィールドを次のように設定することが推奨される。
ＧＳ（２ビット）は、０１に設定されるであろう（ＰＬＭＮの幅）。
【００３９】
メッセージコード（１０ビット）は、１に設定されるであろう。
更新番号（４ビット）は、ゼロに初期設定されるであろう。
セルリスト
ＧＳＭ０３．１４のセクション９．２．５．１参照。このリストは、ＧＳＭ１ｘの受信可能範囲区域の境界内の全てのＧＳＭのセルを含むであろう。
【００４０】
反復期間
ＧＳＭ０３．１４のセクション９．２．８参照。この基本反復期間は、１．８８３秒である。このファイルは、１ないし１０２４の範囲に設定されることができ、なお、各単位は、１つの基本反復期間を定めている。
要求される同報通信無し
ＧＳＭ０３．１４のセクション９．２．９参照。このフィールドはゼロに設定され、その結果、メッセージは無限に伝送されるであろう。
【００４１】
ページ数
ＧＳＭ０３．１４のセクション９．２．４参照。このフィールドは、１に設定されるべきである。
データ符号化方式
ＧＳＭ０３．１４のセクション９．２．１８参照。
ＣＢＳメッセージ情報ページ  ＃１
ＧＳＭ０３．１４のセクション９．２．１９参照。このフィールドは、実際のメッセージを含み、８２オクテットを越えるべきではない。メッセージがそれよりも少ないときは、メッセージは、パッドされるべきである。このフィールドを空のまま（パッディングのみ）にすることが推奨される。
【００４２】
ＣＢＳメッセージ情報長  ＃１
ＧＳＭ０３．１４のセクション９．２．２０参照。このフィールドは、情報の実際のサイズを含む。メッセージ情報の内容（上述参照）についての推奨に基づいて、このフィールドはゼロに設定されるべきである。
ユーザの選好
ユーザは、モード選択モードを自動または手動に設定するオプションを与えられるであろう。手動モードを選択するときは、ユーザは、自動選択を無効にして、好ましいモードを手動で選択することができるであろう。ユーザが好む手動モードでは、移動体は、ユーザが選択したモードに同調することを試みるであろう。移動体がモードを得ることに失敗すると、適切なメッセージがユーザに表示され、ユーザが別のモードを選択するか、現在の選択を維持するか、または自動選択モードに戻ることができるであろう。
【００４３】
ユーザがＧＳＭシステムを手動で選択するとき、移動体は、それにＧＳＭ１ｘのシステムに変更するように命令するＳＭＳＣＢメッセージを無視するであろう。
専用モードのハンドオフ
ハンドオフがＧＳＭ１ｘとＧＳＭとの間で行われる一方で、サービスを維持することを可能にするために、ハンドオフゾーン内に、２つの技術の受信可能範囲区域間のオーバーラップがあるべきである。図４に与えられている例は、ＨＨＯ検出のためにパイロットビーコンまたは境界セルを使用することを示している。図４は、実施形態にしたがって、パイロットビーコンユニット（遷移セル）を示している。ＧＳＭ１ｘのセル402、ＧＳＭ１ｘの境界セル404、およびＧＳＭのセル406が示されている。
【００４４】
時間の制約
表１は、ＣＤＭＡ１ｘのネットワーク特性についての例示的な情報を与えている。
【００４５】
【表１】
2007524278.tif 000003
実施形態にしたがって、ハードハンドオフ手続きの時間線を示す。検出点から、移動体にハードハンドオフコマンドが到達するまでの手続きの第１の段階の時間期間は、まだ分からないが、手続き全体は数秒を越えるべきではないと仮定することができる。これは、密集した都市部においてでさえ、移動体の移動速度に対する何らかの厳しい制約を作らない。図５は、検出点502を示す。不明の数秒後504、ＨＨＯは移動体に到達する506。８３０ミリ秒の例示的な時間の後で508、ＨＨＯ手続きは終了する510。
【００４６】
ＨＨＯの検出
技術間のハードハンドオフ手続きの一部分は、ハンドオフを行う必要を適切に選択することを可能にする。検出の方法は、次に示すものを含む：
パイロットビーコンユニットの使用；
境界セルユニットの使用；
所定位置位置特定情報の使用；
デュアルＲＦチェーンと、１ｘおよびＧＳＭの信号の同時受信との使用；
変更される候補周波数のサーチの使用；
候補周波数のサーチ。
【００４７】
この方法では、移動体は、予め定められた時間間隔でその伝送を止め、そのＲＦチェーンに同調して、別の周波数におけるセルの信号強度を測定し、これらの強度測定値を、それが通信しているＢＳＣへ報告する。これらの報告に基づいて、移動体によって使用されている現在のＢＳＣは、移動体に、別の周波数におけるセルを使用するように指示することができる。
【００４８】
ＧＳＭ１ｘへの適応
実施形態にしたがって、基本のＧＳＭのネットワークのセルを測定するアルゴリズムは、ＧＳＭ１ｘで動作し、ＧＳＭ１ｘの受信可能範囲区域の境界に近付くとき、ＲＡＮによってではなく、ＭＳＮによって制御されるであろう。ＧＳＭ１ｘのネットワークの各境界セルごとに、ＭＳＮは、同じ地理的区域をカバーしているＧＳＭのセルのリストを保持するであろう。各セルごとに、ＭＳＮは、その周波数およびＢＳＩＣを保持するであろう。全てのＧＳＭのセルは、同じＰＬＭＮに属すると仮定する。
【００４９】
このメモに記載されている手続き中にＭＳＮと移動体との間で交換されるメッセージは、ＰＲＯＴＯＣＯＬ ＴＹＰＥ＝０１００のＧＳＭ１ｘのシグナリングプロトコルを使用するであろう。
標準動作
図６は、実施形態にしたがってメッセージの流れを示す。
【００５０】
ステップ  ＃１
ＧＳＭ１ｘからＧＳＭへを開始するためのトリガは、境界セルへのＢＳＣ内のハンドオフか、あるいは境界セルまたはパイロットビーコンへのＢＳＣ間のハンドオフ要求であり得る。
パイロットビーコンユニットは、余分な装備を取り除いたＣＤＭＡのセルであって、パイロットチャネルのみを伝送するので、移動体は、パイロットビーコンへハンドオフされることができない。したがって、全てのパイロットビーコンユニットは、正規のセルによって使用されるＢＳＣユニットとは異なる専用のＢＳＣユニットの組に接続される。この場合に、ＭＳＮは、ハンドオフが要求されたというメッセージ（Handoff Required message）においてパイロットビーコンを認識し（ステップ２参照）、パイロットビーコンへのハンドオーバを実際には始めないが、境界セルへのＢＳＣ間のハンドオフについてこのセクションに記載されているのと同じ方法で、これをトリガとして使用するであろう。
【００５１】
境界セルへのハンドオフがＢＳＣ内のハンドオフである場合は、ＢＳＳ（ＧＳＭ１ｘのＲＡＮ）は、ハンドオフが実行されたというメッセージを使用して、ハンドオフの動作についてＭＳＮに知らせる（図６のメッセージ＃１参照）。
次のテキストは、ＩＳ−２００１．４−Ｂのセクション２．４．９から引用されている。
【００５２】
ＢＳ内のハンドオフは、１つのＢＳの領域のもとで行われるハンドオフである。したがって、ＭＳＣは、ハンドオフの実行に関与しない。ＢＳ内のハンドオフが適切に完了すると、ＢＳは、ハンドオフが実行されたというメッセージによってＭＳＣに知らせることができる。
【００５３】
“指定セル”として識別されるセクタが呼から取り除かれるとき、呼において、現在、源のＢＳとしてサービスしているＢＳは、呼を与えているセクタの組から、新しい“指定セル”を選択し、適切なセルの識別子をＭＳＣに与えるであろう。
上述の引用されたテキストにおいて、“ＭＳＣ”は、ＧＳＭ１ｘのアーキテクチャでは“ＭＳＮ”によって置き換えられるべきである。
【００５４】
境界セルへのハンドオフがＢＳＣ間のハンドオフである場合は、ＢＳＳ（ＧＳＭ１ｘのＲＡＮ）は、ハンドオフが要求されたというメッセージを使用して、ハンドオフ動作が要求されていることをＭＳＮに知らせる。
ステップ  ＃２
ＭＳＮは、移動体が１つのＧＳＭ１ｘの境界セルまたは１組のＧＳＭ１ｘの境界セルのみによってサービスされると判断すると、移動体によって使用されている境界のＧＳＭ１ｘのセルと同じ地理的区域をカバーしている候補のＧＳＭのセルのリストを移動体に与えるであろう。ＭＳＮによって使用されるＧＳＭ１ｘ候補周波数サーチ要求メッセージは、候補周波数サーチ要求メッセージに基づく。メッセージ構造は、次の表２のように定められる。
【００５５】
【表２】
2007524278.tif 000004
ＣＦＳＲＭ ＳＥＱ−候補周波数サーチ要求メッセージの連続番号（Candidate Frequency Search Request Message sequence number）
ＭＳＮは、このフィールドを、ＧＳＭ１ｘ候補周波数サーチ要求メッセージの連続番号に設定するであろう。
【００５６】
ＳＥＡＲＣＨ ＴＹＰＥ−サーチコマンド
ＭＳＮは、このフィールドを、メッセージの目的を示すための適切なＳＥＡＲＣＨ ＴＹＰＥコードに設定するであろう。
ＧＳＭ１ｘの有効値は、次のものである：
‘００’−移動体は進行中の定期的なサーチを止めるべきである；
‘０１’−移動体は定期的なサーチを行なうべきである。
【００５７】
ＳＥＡＲＣＨ ＰＥＲＩＯＤ−定期的なサーチにおける候補周波数に対する連続的なサーチ間の時間
ＭＳＮは、このフィールドを、移動体によって使用されるサーチ期間に対応するＳＥＡＲＣＨ ＰＥＲＩＯＤ値、すなわち、候補周波数に対する連続的なサーチの開始間の時間に設定するであろう。
【００５８】
ＳＥＡＲＣＨ ＭＯＤＥ−サーチモード
ＭＳＮは、このフィールドを‘１１１１’（ＧＳＭ１ｘ専用）に設定するであろう。
ＧＳＭ ＢＡＮＤ
ＭＳＮは、このフィールドを、特定のＧＳＭ目標ネットワークによって使用されるＧＳＭの周波数帯域にしたがって設定するであろう。表３は、予想値を与えている。
【００５９】
【表３】
2007524278.tif 000005
ＭＯＤＥ ＳＰＥＣＩＦＩＣ ＬＥＮ−モード別の長さのフィールド
ＭＳＮは、このフィールドを、このメッセージのモード別フィールドにおけるオクテットの数に設定するであろう。
モード別フィールド−サーチモード別フィールド
実施形態にしたがって、ＭＳＮは、全ての候補のＧＳＭのセルにおいて、表４内の次のフィールドを含むであろう。
【００６０】
【表４】
2007524278.tif 000006
ＧＳＭ ＣＥＬＬ ＩＤ
ＭＳＮは、このフィールドを、特定のＧＳＭセルのセル識別子に設定するであろう。
ＢＳＩＣ
ＭＳＮは、このフィールドを、特定のＧＳＭセルによって使用されるＢＳＩＣに設定するであろう。
ＧＳＭ ＣＥＬＬ ＦＲＥＱ ＯＦＦＳＥＴ
ＭＳＮは、このフィールドを、特定のＧＳＭのセルによって使用される２００キロヘルツの段の周波数オフセットに設定するであろう。
【００６１】
ＧＳＭ１ｘ候補周波数サーチ要求メッセージを受信すると、移動体は、受信した情報を記憶し、ステップ＃３から開始するであろう。
ステップ  ＃３
ＭＳＮからＧＳＭ１ｘ候補周波数サーチ要求メッセージを受信した後で、移動体は、ＭＳＮに、ＧＳＭ１ｘ候補周波数サーチ応答メッセージで応答する。このメッセージは、ネイティブのＣＤＭＡの候補周波数サーチ応答メッセージと同じである。
【００６２】
ステップ  ＃４
ＭＳＮは、移動体が周囲のＧＳＭのネットワークを測定し始めるべきであると判断すると、移動体にそうするように命令するであろう。ＭＳＮによって使用されるＧＳＭ１ｘ候補周波数サーチ制御メッセージは、候補周波数サーチ制御メッセージに基づく。メッセージ構造は、表５に示されているように定められる。
【００６３】
【表５】
2007524278.tif 000007
ＣＦＳＣＭ ＳＥＱ−ＧＳＭ１ｘの候補周波数サーチ制御メッセージの連続番号（GSM1x Candidate Frequency Search Control Message sequence number）
ＭＳＮは、このフィールドを、周波数候補サーチ制御メッセージの連続番号に設定するであろう。
【００６４】
ＳＥＡＲＣＨ ＴＹＰＥ−サーチコマンド
ＭＳＮは、このフィールドを、メッセージの目的を示すための適切なＳＥＡＲＣＨ ＴＹＰＥコードに設定するであろう。
ＧＳＭ１ｘの有効値は、次のものである：
‘００’−移動体は進行中の定期的なサーチを止めるべきである；
‘０１’−移動体は定期的なサーチを行なうべきである。
【００６５】
ステップ  ＃５
ＭＳＮからＧＳＭ１ｘの候補周波数サーチ制御メッセージを受信した後で、移動体は、次の使用可能なフレーム境界（２０ミリ秒）において周囲のＧＳＭのネットワークを測定することを試みるであろう。
図７は、ＧＳＭのエネルギー測定を示す。実施形態において、１つのＧＳＭのセルを測定するために、２５０ｕｓ（702）でＲＦに同調し、５７７ｕｓ（704）で実際の測定し、合計で８２７ｕｓを与えることを要求する。移動体がＧＳＭ１ｘのネットワークから離れる最短時間は、２０ミリ秒（１フレーム）（706）であり、したがって、２４個までの異なるＧＳＭのセルを測定することができる。実施形態では、この測定は、３回繰返されて、その結果を平均する。
【００６６】
上記数値に基づいて、移動体は、周囲のＧＳＭのネットワークを測定するために、３回ホップする必要があるであろう。各ホップは２０ミリ秒であり、ホップ間のギャップは、４８０ミリ秒である。したがって、全体的な測定は、１．５秒にまたがるであろう（図８参照）。
【００６７】
図８は、候補周波数サーチを使用する、ＧＳＭ測定を示す。ステップ802では、境界セルへのハンドオフが実行される。ステップ804では、ＧＳＭ１ｘ候補周波数サーチ要求が発行される。ステップ806では、ＧＳＭ１ｘ候補周波数サーチ応答が送られる。ステップ808では、ＧＳＭ１ｘ候補周波数サーチ制御が発行される。ステップ810では、ＧＳＭ１ｘ候補周波数サーチ報告が発行される。ホップ812、814、および816は、２０ミリ秒として示されている。ホップ間のギャップ818、820は、４８０ミリ秒として示されている。
【００６８】
移動体は、測定を終了すると、結果を、ＧＳＭ１ｘ候補周波数サーチ報告メッセージを使用して、ＭＳＮに報告する。このメッセージは、候補周波数サーチ報告メッセージに基づく。メッセージ構造は、表６に示されているように定められる。
【００６９】
【表６】
2007524278.tif 000008
ＬＡＳＴ ＳＲＣＨ ＭＳＧ−報告されているサーチを開始したメッセージのタイプの指標
このメッセージが、ＧＳＭ１ｘ候補周波数サーチ制御メッセージまたはＧＳＭ１ｘ候補周波数サーチ要求メッセージによって開始された１回のサーチまたは定期的なサーチの結果を報告するために送られているときは、移動体は、このフィールドを‘０’に設定し、そうでなければ、移動局は、このフィールドを‘１’に設定するであろう。
【００７０】
ＬＡＳＴ ＳＲＣＨ ＭＳＧ ＳＥＱ−報告されているサーチを開始したメッセージにおいて受信された連続番号
このメッセージが、ＧＳＭ１ｘ候補周波数サーチ制御メッセージに応答して送られているときは、移動体は、このフィールドを、ＧＳＭ１ｘ候補周波数サーチ制御メッセージから、ＣＦＳＲＭ ＳＥＱフィールドの値に設定するであろう。
【００７１】
ＳＥＡＲＣＨ ＭＯＤＥ−サーチモード
移動体は、このフィールドを、サーチパラメータを特定したＧＳＭ１ｘ候補周波数サーチ要求メッセージによって特定されたサーチのタイプに対応するＳＥＡＲＣＨ ＭＯＤＥ値に設定するであろう。このフィールドは、‘１１１１’（ＧＳＭ１ｘに専用）に設定されるであろう。
【００７２】
ＭＯＤＥ ＳＰＥＣＩＦＩＣ ＬＥＮ−モード別の長さのフィールド
移動体は、このフィールドを、このメッセージのモード別のフィールドにおけるオクテットの数に設定するであろう。
モード別フィールド−サーチモード別フィールド
移動体は、全ての候補のＧＳＭのセルにおいて、次の表７内のフィールドを含むであろう。
【００７３】
【表７】
2007524278.tif 000009
ＧＳＭ ＣＥＬＬ ＩＤ
移動体は、このフィールドを、特定のＧＳＭのセルのセル識別に設定するであろう。
ＧＳＭ ＣＥＬＬ ＦＲＥＱ ＯＦＦＳＥＴ
移動体は、このフィールドを、特定のＧＳＭのセルによって使用される２００キロヘルツの段における周波数のオフセットに設定するであろう。
【００７４】
ＴＯＴＡＬ ＲＸ ＰＷＲ
移動体は、このフィールドを、特定のＧＳＭのセルのために測定されたＴＯＴＡＬ ＲＸ ＰＯＷＥＲに設定するであろう。
ＧＳＭ１ｘ候補周波数サーチ報告メッセージを受信すると、ＭＳＮは、メッセージ内に収められている情報をパースするであろう。この情報に基づいて、ＭＳＮは、最良の目標のＧＳＭのセルを選択し、ＨＨＯ手続きを開始し、ハンドオーバ要求メッセージを適切なＧＳＭのＭＳＣへ送るであろう。
【００７５】
異常動作
候補周波数サーチ中、ＭＳＮは、ＢＳＳ（ＧＳＭ１ｘのＲＡＮ）からハンドオフが実行されたというメッセージも受信し得る。受信されたハンドオフが実行されたというメッセージが、移動体がＧＳＭ１ｘ受信可能範囲区域の縁端部上に最早いないことを示唆すると、ＭＳＮは、‘００’に等しいＳＥＡＲＣＨ ＴＹＰＥフィールドをもつ、ＧＳＭ１ｘ候補周波数サーチ要求メッセージまたはＧＳＭ１ｘ候補周波数サーチ制御メッセージを使用して、候補周波数サーチ動作をアボートするであろう。
【００７６】
信号電力測定
ハードハンドオフは、信号電力の推定値に基づく。目的は、フェージングおよびシャドウイングの影響のあるところで、信号電力の推定値を解析することである。受信機の雑音は、平均化によって、重要でないと仮定される。
フェージング
見通し線外の環境における伝搬作用のフェージングがあると、移動体における受信電力は、パラメータｆｄのレイリー分布（ドップラ拡散）をもつ。
【００７７】
ｆｄ＝Ｆｃ＊ｖ／ｃ
ここで、Ｆｃは、搬送波周波数、
ｖは、移動速度（メートル／秒）、
Ｃは、光速（３＊１０８メートル／秒）、
相関時間定数は、
【００７８】
【数１】
2007524278.tif 000010
フェージングによる受信電力のＳＴＤは、５．５デシベルである。
シャドウイング
シャドウイングは、受信機の位置による受信電力の変化（遮断および反射）をモデル化した伝搬効果である。定義によって、シャドウイングの変化はフェージングよりも緩慢であり、搬送波周波数とは無関係に環境によって生じる。
【００７９】
シャドウイングは、対数正規分布によって、７．５デシベルの分散でモデル化される。空間変動値は、自己相関パラメータ、すなわち、８÷２０メートルによってモデル化される。仮定は、次の計算において、１０メートルである。
表８は、時間定数（＠Ｆｃａｒｒｉｅｒ＝８５０メガヘルツ）を示している。
【００８０】
【表８】
2007524278.tif 000011
表９は、電力推定誤差（標準偏差）を示す。
【００８１】
【表９】
2007524278.tif 000012
全ての数値は、デシベルである。
実施形態において、受信電力は、４８０ミリ秒の３つの期間で平均化される。この方法は、３．５デシベル未満の受信電力測定値（標準偏差）を与えることになる。平均時間がより長くなると、推定値は向上することになる。
【００８２】
近隣のリストが十分に小さい場合、各２０ミリ秒の期間において、各周波数の２つの測定値が１０ミリ秒離れるとき、それはより好適になるであろう。この場合は、同じ時間スパンにおいて、６つの測定値があるであろう。電力の平均化は、対数（デシベル）領域ではなく、電力領域であることに注意すべきである。
【００８３】
向上
専用モードで伝送を中断すると、音声品質に影響を与える。したがって、移動体が送信／受信しない時間期間の継続期間は、適切なサービス品質を維持するために、最小であるべきである。
ＧＳＭシステムにおいて目標のセルを選択するには、電力測定では十分でないことがある。測定値が、偽の結果を戻し得る原因を次に示す。
【００８４】
トラヒックのみ（ＢＣＣＨは除かれる）に使用される強い周波数が、近隣のリストに示されているセルと異なる。
２つ以上のＢＣＣＨの周波数が、同じ周波数を使用する（４／１２の再使用は、あまりロバストではない）。
システム干渉波以外の強いもの。
【００８５】
チャネル干渉波に隣り合う強いもの。
前のセクションに与えられているアルゴリズムを向上し、呼の切断をもたらすであろう偽の検出を無くすために、移動体は、以前と同じ基本的な電力の測定を行うが、ＭＳＮに結果を報告しないであろう。その代りに、それは、結果を降順で配列するであろう。最強である、潜在的な目標のＧＳＭのセルの予め定められた数値において、移動体は、ＦＣＣＨおよびＳＣＨを復号して、これが真のＧＳＭのセルであることを確認することを試みるであろう。
【００８６】
５１マルチフレーム構成において、ＳＣＨは、フレーム１、１１、２１、３１、４１上で伝送され、これは、約４７ミリ秒の平均時間を与える。ＳＣＨは、常に、簡単なトレーニング系列であるＦＣＣＨによって先行される。ＦＣＣＨが検出されると、ＳＣＨの位置が分かり、それは（４．６１５ミリ秒後）である。移動体は、ＦＣＣＨを使用して、ＧＳＭのフレーミングと同期をとり、その後で、ＳＣＨを復号して、ＰＬＭＮおよびＢＳＩＣの数を検索するであろう。
【００８７】
目標のＧＳＭのセルのエネルギー測定
目標のＧＳＭのセルのエネルギーを測定する方法は、別途示される。これらの方法は、ＧＳＭのＦＣＣＨとの適切な同期およびＳＣＨの復号を可能にするために、ｍＤＳＰをさらに向上する必要がある。
ＣＤＭＡチップおよびｍＤＳＰの使用
ＣＤＭＡモードのときに、ＣＤＭＡチップを使用し続けるが、それを、測定されるセルのＧＳＭ周波数に同調する。ｍＤＳＰは、信号をフィルタにかけて、ＧＳＭチャネル（２００キロヘルツ）を隔離して、電力を測定するであろう。結果は、さらに処理するために、ＡＲＭへ報告されるであろう。
【００８８】
ＧＳＭチップおよびｍＤＳＰの使用
ＧＳＭモードのときに、ＧＳＭチップに切り換えて、それを、測定されるセルのＧＳＭの周波数に同調させる。ｍＤＳＰは、信号をフィルタにかけて、ＧＳＭチャネル（２００キロヘルツ）を隔離して、電力を測定するであろう。この場合に、ＧＳＭのチップはＧＳＭチャネルのためのアナログフィルタを含むので、フィルタの要件は軽減される。結果は、さらに処理するために、ＡＲＭに報告されるであろう。
【００８９】
ＲＴＲがＲＦＲと同時にアクティブにされることができるかどうかを確認して、同調に要する時間を短縮する必要がある。
ＣＤＭＡチップおよび外部電力メータの使用（試験のみのため）
ＣＤＭＡモードでＣＤＭＡチップを使用し続けるが、それを、測定されるセルのＧＳＭ周波数に同調させる。ＧＳＭチャネルフィルタ（２００キロヘルツ）を含むべき外部電力メータを追加する。この電力メータは、ＳＢＩを介して、ＡＲＭに接続されることができる。ＡＲＭは、ＳＢＩコマンドによって、電力メータの測定値に同期するであろう。
【００９０】
このオプションは、いくつかの追加のハードウエアが移動体に追加されるであろうことを要求するするので、比較的に望ましくない。
境界セルにおける呼設定
移動体は、自分が境界セル内にいることに気付かない。移動体が境界セル内で呼を設定することを試みるとき、ＭＳＮは、ＭＳＮ構成表を使用して、元のセルのＩＤを確認するであろう。移動体がサービスしているセルが境界セルであり、移動体の階級値が、移動体がデュアルモードの移動体であることを示すとき、ＭＳＮは、移動体にＧＳＭのネットワークに移るように命令するであろう。移動体がデュアルモードでないときは、ＭＳＮは、呼の設定を続行するであろう。
【００９１】
ＭＳＮ構成表
現在の設計は、源のＧＳＭ１ｘのセルのフットプリントと、ＧＳＭ１ｘの受信可能範囲区域の境界における目標のＧＳＭのセルとの間に１対１の相関があると仮定している。ＭＳＮによってサービスされる各セルにおいて、ＭＳＮは、次の表１０に示されているような情報要素を保持している。表１０は、ＭＳＮ構成表の情報要素を記載している。
【００９２】
【表１０】
2007524278.tif 000013
表１１は、ＭＳＮ構成表内の２つの一般的なエントリの例を与える。
【００９３】
【表１１】
2007524278.tif 000014
ＭＳＮが、サービスしているセルが境界セルとして示されることに気付くと、技術間ハードハンドオフ手続きがトリガされる。
ＨＨＯの実行
ＧＳＭのプロトコルレイヤの処理
ＧＳＭのプロトコルスタックは、ＲＲレイヤにおいてハンドオーバ手続きを行なう一方で、プロトコルレイヤ（ＲＲ、ＭＭ、およびＣＭ）の保全性を維持する。ＧＳＭでは、これらのレイヤは、移動体側およびアンカーのＭＳＣ上に存在する。
【００９４】
ＣＭレイヤは、ＣＣ、ＳＳ、およびＳＭＳのサブレイヤにさらに分割されることができる。ＧＳＭへの技術間ハードハンドオフを行うとき、この場合にアンカーのＭＳＣとして働いている移動体とＭＳＮとの両者において、ＲＲ、ＭＭ、およびＣＭのエンティティをインスタンス化する必要がある。これらのエンティティは、ＧＳＭをアクティブモードに維持するのに必要とされる全ての関連情報を使用して、アクティブ状態で生成されるべきである。
【００９５】
次の段落では、技術間ハードハンドオフ手続きの一部として、これらのエンティティの生成を扱う。
ＲＲレイヤ
ネットワーク側では、ＲＲレイヤはネイティブのＧＳＭのＲＲレイヤであり、ＧＳＭの仕様にしたがうべきである。
移動体側では、ＲＲレイヤは、何らのアイドル手続きを行うことなく、専用モードへ促されるであろう。それに応じて、アイドル処理に関係する全てのパラメータは初期化されるであろう。その後で、ＲＲレイヤは、ＧＳＭの仕様にしたがって、新しいＧＳＭの宛先セルとハンドオーバ手続きを行うであろう（主として、ＧＳＭ０４．１８のセクション３．４．４）。
【００９６】
ＲＲレイヤの下のＧＳＭレイヤは、ネイティブのＧＳＭレイヤであり、ＧＳＭの仕様に準拠するであろう。物理チャネルの設定は、非同期セルの場合にしたがうであろう。
ネットワークは、技術間ＨＨＯ手続きの一部として、暗号化モードを設定する。これを可能にするために、ハンドオーバコマンドメッセージのオプションの暗号化モードの設定のＩＥは、技術間ＨＨＯの必須のＩＥになる。ネットワークは、これが非同期のハンドオーバであると判断するであろう。
【００９７】
ＭＭレイヤ
ＨＨＯ中に、移動体側とＭＳＮ側の両者におけるＭＭレイヤは、ＧＳＭのＭＭプロトコルのＭＭ接続アクティブ状態へ初期化されるであろう。ＧＳＭ０４．０８にしたがって、ＭＭレイヤは、ネットワーク側にそのピアエンティティへのＲＲ接続をもつとき、ＭＭ接続アクティブ状態である。１つ以上のＭＭ接続がアクティブである。ＧＳＭでは、ＭＭレイヤは、ナル状態から始まる、一連の状態遷移を行った後で、ＭＭ接続アクティブ状態に入る。これらの状態遷移中に、ＭＭパラメータのリストは、遷移を駆動しているプリミティブから受信される値で初期化される。技術間ＨＨＯ手続きにおいて、ＭＭレイヤは、ＭＭ接続アクティブ状態に促され、したがって、上述のプリミティブ内に含まれる情報は、他の手段を使用して、ＭＭレイヤによって初期化されるであろう。これらのセクションの残りは、初期化されるパラメータを示し、初期化値を特定する。
【００９８】
全てのシステム情報は削除されるであろう。
ＭＭ接続数は、既存のＣＭのトランザクション数にしたがって初期化されるであろう。１つの音声呼のＨＨＯにおいて、接続数は、１に初期化されるであろう。
暗号化キーは、ＳＩＭからの値で初期化されるであろう。
【００９９】
暗号化キーの連続番号は、ＳＩＭからの値で初期化されるであろう。
チャネルモードは、ＨＯコマンドメッセージからの値で、第１のチャネル（チャネル組１）のモードのＩＥから初期化されるであろう。このＩＥは、ＧＳＭ１ｘからのＨＨＯにおいて必須であるが、ＧＳＭではオプションである。
【０１００】
チャネルタイプは、第１のチャネルの説明から、ＩＥの時間の後で、ＨＯコマンドメッセージからの値で、初期化されるであろう。
サブチャネルは、第１のチャネルの説明から、ＩＥの時間の後で、ＨＯコマンドメッセージからの値で、初期化されるであろう。
【０１０１】
ＣＭのサービスタイプは、次のように初期化されるであろう。
ＭＯでは、音声呼に対しては０００１に、緊急呼に対しては００１０に設定されるでろう。
ＭＴでは、呼は使用されないであろう。
移動局の階級値。ＧＳＭの階級値は、ＧＳＭ１ｘモードでも規定される。階級値は、ＨＨＯ手続きの一部ではない（認証手続きにおいて送られる）。
【０１０２】
移動体識別は、ＧＳＭ１ｘの呼の移動体識別から、次のように得られるであろう。
ＧＳＭ１ｘの呼が、ＩＭＳＩを使用して初期化されたとき、移動体識別のタイプは、ＩＭＳＩになるであろう。値は、ＳＩＭからＥＦｉｍｉから求められるであろう。
緊急呼では、移動体識別は初期化されるであろう。（１つの選択肢はＩＭＥＩを使用することである。ネットワーク側でＩＭＥＩを得るやり方を見付ける必要がある。移動体識別が、ハンドオーバ中およびその後に要求されるかどうかでさえ確かではない。）
全ての場合において、ＴＭＳＩは使用されない。
【０１０３】
移動局の更新状態は、更新されていないと示されるであろう。その代りに、移動体は、ＧＳＭ１ｘの元のセルの位置区域を識別するＳＩＭにＬＡＩ値を書き込むであろう。
“ローミングにおける禁止位置区域”と、“サービスの領域規定における禁止位置区域”のリストとは、ＨＨＯの一部として削除されるであろう。（ＧＳＭでは、これらはパワーダウン時に削除されるので、ＧＳＭモードでなくなること（すなわち、ＧＳＭ１ｘになること）は、ＧＳＭのパワーダウンに似ている。）
ＣＭレイヤ
ＧＳＭのＣＭレイヤは、３つの構成要素、すなわち、ＣＣ、ＳＳ、およびＳＭＳから成る。全ての３つの構成要素の文脈は、ＨＨＯ中に初期化されなければならない。この文書の現在の説明では、ＣＣのみが扱われる。
【０１０４】
ＣＣサブレイヤ
ＣＭサブレイヤのＣＣの構成要素は、呼の制御および呼に関係する補助サービスを担当する。この文書の現在の説明では、ＣＣの１つのみのインスタンスが支援され、いくつかの将来のフックは別にして、呼に関係するＳＳは支援されない。
【０１０５】
ＨＨＯ中に、移動体側およびＭＳＮ側の両者におけるＣＣサブレイヤは、ＧＳＭのＣＣプロトコルのアクティブ（Ｕ１０／Ｎ１０）状態に初期化されるであろう。ＧＳＭ０４．０８にしたがうと、ＣＣのサブレイヤがアクティブ状態であるのは、ａ）移動体が終了する呼において、ＭＳが呼に返答したとき、およびｂ）移動体が発信する呼において、ＭＳが、遠隔のユーザが呼に返答したという指示を受信したときである。ＨＨＯ中に、アクティブ状態の全ての補助状態機械は、アイドル状態（例えば、ＳＳを保持および検索するための、補助状態機械のアイドル状態）に初期化されるであろう。ＧＳＭでは、ＣＣのサブレイヤは、ナル状態から始まる一連の状態遷移を行った後で、アクティブ状態に入る。これらの状態遷移中に、ＣＣパラメータのリストは、遷移を駆動しているプリミティブから受信される値で初期化される。ＨＨＯ手続きにおいて、ＣＣサブレイヤは、アクティブ状態へ促され、したがって、上記のプリミティブに含まれる情報は、他の手段を使用して、ＣＣサブレイヤによって初期化されるであろう。このセクションの残りは、初期化されるパラメータを示し、初期化値を特定する。
【０１０６】
トランザクションＩＤ（Transaction ID）は、ＧＳＭ１ｘモードで呼がもつＴＩ値にしたがって初期化されるであろう。ＧＳＭ１ｘモードにおける呼のＴＩの割り振りは、ＧＳＭ１ｘの補助サービスに定められており、８０−３１４９３−１である。
【０１０７】
ベアラ能力１は、次のように設定されるであろう。
ＩＥＩ：    ０４Ｈ
長さ：      ０１Ｈ
値：        Ａ０Ｈ
ベアラ能力２は、（音声呼に使用されない）この段階に関連していない。
発呼当事者のＢＣＤ番号は、ＧＳＭ１ｘモードで呼がもつ発呼当事者のＢＣＤ番号にしたがって初期化されるであろう。
【０１０８】
発呼当事者のサブアドレスは、ＧＳＭ１ｘモードで呼がもつ発呼当事者のサブアドレスにしたがって初期化されるであろう。
被呼当事者のＢＣＤ番号は、ＧＳＭ１ｘモードで呼がもつ被呼当事者のＢＣＤ番号にしたがって初期化されるであろう。
被呼当事者のサブアドレスは、ＧＳＭ１ｘモードで呼がもつ被呼当事者のサブアドレスにしたがって初期化されるであろう。
【０１０９】
当事者のＢＣＤ番号の転送は、この段階において支援されていない。
当事者のサブアドレスの転送は、この段階において支援されていない。
下位レイヤの互換性Ｉは、（音声呼に使用されない）この段階において支援されていない。
下位レイヤの互換性ＩＩは、（音声呼に使用されない）この段階において支援されていない。
【０１１０】
上位レイヤの互換性Ｉは、（音声呼に使用されない）この段階において支援されていない。
上位レイヤの互換性ＩＩは、（音声呼に使用されない）この段階において支援されていない。
ＣＣの能力は、初期化されるであろう。
ＣＭのサービスタイプは、ＭＭレイヤのように初期化されるであろう。
【０１１１】
暗号化キーの連続番号は、ＩＭから読み出されるであろう。これは、ＧＳＭ１ｘモードで行われた各認証手続き後に、ＧＳＭ１ｘのＭＳがこの値を記憶する要件を設定する。
移動局の階級値は、規定情報に基づくであろう。
移動体識別は、ＭＭレイヤのように初期化されるであろう。
【０１１２】
チャネルモードは、ＭＭレイヤのように初期化されるであろう。
チャネルタイプは、ＭＭレイヤのように初期化されるであろう。
サブチャネルは、ＭＭレイヤのように初期化されるであろう。
ＳＭＳ（ＳＭＳサブレイヤ）の処理
ＨＨＯ中のＳＭＳの処理は、文書のこの説明によって支援されていない。
【０１１３】
注：ＧＳＭにおけるＳＭＳメッセージは、ＳＡＰＩ＝３を使用する。ＧＳＭ０４．１８のセクション３．１．４．２にしたがって、０以外のＳＡＰＩにおいて、データリンク手続きは、メッセージの損失または複製に対して何らの保証も与えない。
補助サービス（supplementary service）の処理（ＳＳサブレイヤ）
ＣＭサブレイヤのＳＳの構成要素は、補助サービスの管理を担当する。ＨＨＯ中のＳＳの管理の処理は、文書のこの説明によって支援されていない。
【０１１４】
レイヤ２のメッセージの処理
ＧＳＭでは、異なるプロトコル層（ＣＭ（ＣＣ、ＳＳ、およびＳＭＳ）、ＭＭ、およびＲＲ）からの全てのシグナリングメッセージは、レイヤ２において１つの待ち行列によって処理される。ネットワークとの通信は、停止および待機のアプローチを使用して行われる。メッセージがネットワークへ送られると、次のメッセージは、第１のメッセージがネットワークによって肯定応答された後でのみ伝送される。このアプローチでは、複製を避けるために、トグルビットが使用される。ネットワークにおいて、トグルビットの同じ値をもつメッセージが受信されると、それは捨てられるであろう（メッセージは複製である）。しかしながら、肯定応答メッセージは、それでも移動体へ送られるであろう。
【０１１５】
ＧＳＭ１ｘのみにおいて、技術間ＨＨＯ手続き中に、補助サービス管理（Supplementary Service Management, SSM）、補助サービス動作（Supplementary Service Operation, SSO）、およびＳＭＳ通信の保全性が維持されるべきである。技術間ＨＨＯコマンドを受信すると、移動体は、これらのメッセージの伝送を中断し、メッセージ待ち行列および最新の伝送の状態を維持するであろう。技術間ＨＨＯ手続きが終了し、移動体がＧＳＭのネットワーク上でサービスを再開すると、待ち行列に入れられたメッセージの伝送が再開されるべきである。未処理のメッセージ（肯定応答されていないメッセージ）があるときは、それは再送されるべきである。
【０１１６】
音声サービスの処理
ＧＳＭ１ｘおよびＧＳＭは異なるボコーダを使用する。したがって、ＭＳＮは、要求された音声サービスを、ＧＳＭのＭＳＣへ送られている一部のハンドオーバ要求メッセージとして特定すべきである。要求されるサービスとして、ＥＶＲＣを使用することが提案される。
【０１１７】
基本的な技術間のハードハンドオフ
このタイプのハンドオフは、ＧＳＭ１ｘのＭＳＮとのＧＳＭのＭＳＮとの間で行われる。ＧＳＭ１ｘのＭＳＮは、アンカーのＭＳＮとして働く。ゲート伝送またはデュアル受信チェーン方法が採用されるとき、ＧＳＭ１ｘのＭＳＮによってＭＳへ与えられる情報も使用可能である。
【０１１８】
成功の動作
図９は、１つの実施形態にしたがって、ＧＳＭ１ｘからＧＳＭへのハンドオフメッセージの流れ図を示す。図９は、ＧＳＭ１ｘのＭＳＮとＧＳＭのＭＳＣとの間の回線接続を要求する成功の基本的な技術間のハードハンドオフのシグナリングを示している。
【０１１９】
ステップ901において、ＧＳＭ１ｘのＭＳＮはハンドオフ手続きを開始する。ＧＳＭ１ｘのＭＳＮは、ＧＳＭネットワークへの技術間ハードハンドオフを行う全ての基準が満たされていると判断すると、候補の目標のセルのリストを作るであろう。ＧＳＭ１ｘのＭＳＮは、候補の目標のセルのリストを設定した後で、完全なハンドオーバ要求メッセージを含むＭＡＰハンドオーバ準備要求メッセージを、目標のＧＳＭのＭＳＣへ送るであろう。
【０１２０】
ステップ902では、ＧＳＭ１ｘのＭＳＮは、その構成表内に記憶されているＧＳＭのネットワークパラメータを、ＧＳＭ１ｘのＢＳＣへ送る。このメッセージは、ＧＳＭ１ｘのシグナリングトンネル機構を使用して送られる。
ステップ903では、ＧＳＭ１ｘのＢＳＣは、ＧＳＭ１ｘのＭＳＮによって送信されたＧＳＭのネットワークパラメータを、ＭＳへ送る。このメッセージは、ＧＳＭ１ｘシグナリングトンネル機構を使用して送られる。
【０１２１】
ステップ904では、ＧＳＭのＭＳＣは、その関係付けられたＶＬＲからハンドオーバ番号を要求する。ハンドオーバ番号は、ＧＳＭ１ｘのＭＳＮからＧＳＭのＭＳＣへの呼の接続をルーティングするために使用される。
ステップ905では、目標のＧＳＭのＭＳＣは、ハンドオーバが要求されたというメッセージ(Handover Required message)を受信すると、ハンドオーバ要求メッセージを目標のＧＳＭのＢＳＣへ送るべきである。ＧＳＭのＭＳＣは、ハンドオーバが要求されたというメッセージを送ることと並行して、タイマT3103を開始する。
【０１２２】
ステップ906では、無線資源が目標のＧＳＭのＢＳＣにおいて使用可能であるときは、これは、ハンドオーバ要求肯定応答（Acknowledge, ACK）メッセージにおいて、ＧＳＭのＭＳＣへ反映されるであろう。新しいＧＳＭのＢＳＣによって送られたハンドオーバ要求肯定応答メッセージは、“レイヤ３情報”の情報要素内の無線インターフェイスメッセージのハンドオーバコマンドを含むであろう。
【０１２３】
ステップ907では、ローカルＶＬＲは、割り当てられたハンドオーバ番号をＧＳＭのＭＳＣへ戻す。
ステップ908では、ＧＳＭのＭＳＣは、ハンドオーバ番号を受信すると、ＭＡＰハンドオーバ準備応答を、ＧＳＭ１ｘのＭＳＮへ戻す。これは、ＧＳＭのＢＳＣから受信された完全なハンドオフ要求Ａｃｋメッセージを含んでいる。
【０１２４】
ステップ909では、ＧＳＭ１ｘのＭＳＮは、ＳＳ７のＩＡＭを送って、ＧＳＭ１ｘのＭＳＮとＧＳＭのＭＳＣとの間の回線を開始する。
ステップ910では、ＧＳＭのＭＳＣは、ＧＳＭ１ｘのＭＳＮから呼を受信すると、ハンドオーバ番号を使用して、ＭＡＰハンドオーバ報告送付応答を送ることによって、ＶＬＲにおいてハンドオーバ番号を解放する。
【０１２５】
ステップ911では、ＧＳＭのＭＳＣは、ＧＳＭ１ｘのＭＳＮに、呼の回線が保留されていることを知らせる。
ステップ912では、ＧＳＭ１ｘのＭＳＮは、ハンドオフ要求Ａｃｋメッセージの内容を使用して、ＧＳＭのＲＲのレイヤ３のハンドオーバコマンドを形成する。このメッセージは、古いＧＳＭ１ｘのＢＳＣへ送られるべきである。しかしながら、ハンドオフコマンドのＩＯＳのフォーマットは、ＧＳＭのハンドオーバコマンドに適応しない。したがって、このメッセージは、（ＡＤＤＳによって）ＧＳＭ１ｘトンネリング機構を使用して、古いＧＳＭ１ｘのＢＳＣへ送られるであろう。
【０１２６】
その後で、ステップ913では、ＧＳＭ１ｘのＢＳＣは、ＧＳＭハンドオーバコマンドのカプセル化をＭＳへ送るであろう。
ステップ914では、ＭＳは、ＧＳＭハンドオーバコマンドを抽出し、ハンドオフの実行を開始する準備が完了する。先ず、ＭＳは、目標のＧＳＭのセルのＦＣＣＨおよびＳＣＨを得る（下記の注を参照）。その後で、ＭＳは、ＧＳＭハンドオーバコマンドに定められているように、目標のＴＣＨに同調する。
【０１２７】
注：実施形態において、ＧＳＭのネットワークを得るとき、ＭＳがＦＣＣＨを得るのに平均で２７．５ミリ秒（最大で１１０ミリ秒）かかる。
ＳＣＨを得るのに、別の４．６ミリ秒が要求される。
ステップ915では、新しいＧＳＭのＢＳＣが、ハンドオーバ検出メッセージをＧＳＭのＭＳＣへ送る。
【０１２８】
ステップ916では、ＭＳがネットワークとの通信に成功すると（言い換えると、ＲＲメッセージのハンドオーバ完了が、ＭＳから受信されると）、新しいＧＳＭのＢＳＣは、ハンドオーバ完了メッセージをＧＳＭのＭＳＣへ直ちに送る（ステップ917）。
【０１２９】
ステップ918では、ＧＳＭのＭＳＣは、ＭＡＰ終了信号送付要求メッセージをＧＳＭ１ｘのＭＳＮへ送る。これは、完全なハンドオフ完了メッセージを含んでいる。
ステップ919では、ＧＳＭ１ｘのＭＳＮは、ＧＳＭのＭＳＣからハンドオーバ完了メッセージを受信すると、クリアコマンドメッセージをＧＳＭ１ｘのＢＳＣへ送り、タイマT315を開始する。
【０１３０】
ステップ920では、ＧＳＭ１ｘのＢＳＣは、ＧＳＭ１ｘのＭＳＮからクリアコマンドメッセージを受信すると、全てのＭＳに割り振られた資源をクリアして、クリア完了メッセージをＧＳＭ１ｘのＭＳＮへ戻す。
ＧＳＭ１ｘのＭＳＮは、ＧＳＭ１ｘのＢＳＣからクリア完了メッセージを受信すると、タイマT315をリセットする。
【０１３１】
ステップ921では、ＧＳＭのＭＳＣは、ＧＳＭのＢＳＣからハンドオフ完了メッセージを受信すると、ＧＳＭ１ｘのＭＳＮへのＳＳ７返答信号を生成する。
ステップ922では、（ＭＳによって、または他のパーティ加入者によって）呼を終了すると、ＧＳＭ１ｘのＭＳＮは、自分自身とＧＳＭのＭＳＣとの間の回線をクリアする。
【０１３２】
ステップ923では、ＧＳＭ１ｘのＭＳＮは、ＭＡＰ終了信号送付応答メッセージをＧＳＭのＭＳＮへ送って、ＧＳＭのＭＳＣ内のＭＡＰ資源を解放する。
ＧＳＭプロトコルスタックの共通の実行は、ＭＳは専用モードである間、ＧＳＭ１ｘのようなＧＳＭ／ＵＭＴＳ以外の技術から、ＧＳＭへのハンドオフを支援しない。したがって、上述の手続きを支援するために、ＭＳ側における、ＧＳＭプロトコルスタックの変更は要求されない。
【０１３３】
上述で定義されている手続きは、１つの開かれた問題をもつハードハンドオフコマンドがＭＳへ送られた後で、ＧＳＭ１ｘのＢＳＣはハンドオフが開始されたというメッセージ(Handoff Commenced message)を送ることを期待される。しかしながら、ＢＳＣは、ハードハンドオフコマンドがカプセル化されたメッセージとしてＭＳへ送られていることについて気付いていない。提案される解決は、ＣＤＭＡからＡＭＰＳへダミーのハンドオフ命令を送ることに基づいている。ＧＳＭ１ｘのＢＳＣは、このメッセージをＭＳへ送り、ＭＳはそれを無視すべきである。しかしながら、ＧＳＭ１ｘのＢＳＣ側では、このメッセージは、タイマT7およびT8を適切に扱うのに使用されるであろう。このメッセージは、ＧＳＭ１ｘのＭＳＮへハンドオフが開始されたというメッセージを送るためのトリガとしても使用されるであろう。
【０１３４】
実施形態では、技術間のＨＨＯが許可される呼設定中の最も早い時点は、サービスネゴシエーション手続きが完了した直後である。別の実施形態では、この要件は緩和され、技術間のＨＨＯ手続きは、トラヒックチャネルが設定されて直ぐに支援される。
タイマ
タイマは、ハンドオフ手続きに関与する。
【０１３５】
ＧＳＭ１ｘ側のタイマ
ＧＳＭ１ｘ側においてハンドオフ手続きに関与するタイマは、次のものである：
タイマT7；
タイマT315；
タイムT9；
タイマT11。
タイマT7の特性は、表１２に記載されている。
【０１３６】
【表１２】
2007524278.tif 000015
タイマT315の特性は、表１３に記載されている。
【０１３７】
【表１３】
2007524278.tif 000016
タイマT9は、ここでは関連がない。その機能は、目標のＢＳＣに関係し、この場合は、ＧＳＭ側によって含まれる。
タイマT11は、ここでは関連がない。その機能は、目標のＢＳＣに関係し、この場合は、ＧＳＭ側によって含まれる。
【０１３８】
ＧＳＭ側のタイマ
ＧＳＭ側のハンドオフ手続きに関与するタイマは、次のものである：
タイマT3124；
タイマT3105；
タイマT3103。
タイマT3124の特性は、表１４に記載されている。
【０１３９】
【表１４】
2007524278.tif 000017
タイマT3015の特性は、表１５に記載されている。
【０１４０】
【表１５】
2007524278.tif 000018
タイマT3103の特性は、表１６に記載されている。
【０１４１】
【表１６】
2007524278.tif 000019
異常の場合
ＭＡＰプロトコルのエラー
ＧＳＭのＭＳＣにおいてＭＡＰハンドオーバ準備要求を受信した後で、ＧＳＭのＭＳＣにおけるＭＡＰプロトコルのエラーは、次に示すものの結果として生じ得る。
検出されたユーザのエラー、
プロバイダのエラー（構成要素の拒絶、ＭＡＰのダイアログのアボーション）、および、
不成功のハンドオーバ番号の割り振り。
【０１４２】
図１０は、実施形態にしたがって、ＭＡＰプロトコルのエラーの呼の流れ図を示す。図１０は、ＭＳ1002、ＧＳＭ１ｘのＢＳＣ1004、ＧＳＭ１ｘのＭＳＮ1006、ＧＳＭのＭＳＣ1008、ＧＳＭのＢＳＳ1010、およびＧＳＭのＶＬＲ1012を示す。ＭＳ1002とＧＳＭ１ｘのＭＳＮ1006との間に会話1014が示されている。ＭＡＰハンドオーバ準備要求（ハンドオーバ要求）1021は、ＧＳＭ１ｘのＭＳＮ1006から、ＧＳＭのＭＳＣ1008へ送られる。ＭＡＰハンドオーバ準備応答（プロバイダのエラーまたはユーザのエラー）、ＭＡＰ−Ｐ−アボート、ＭＡＰ−Ｕ−アボート、または、ＭＡＰ−終了1022が、ＧＳＭのＭＳＣ1008からＧＳＭ１ｘのＭＳＮ1006へ送られる。
【０１４３】
ＧＳＭ１ｘのＭＳＮは、ＭＡＰエラーメッセージを受信すると、別の要求を試みるか、または呼を切断することができる。
無線資源割当ての失敗
目標のＢＳＣ（ＧＳＭのＢＳＣ）は、資源を割り振ることができないとき、ハンドオーバ失敗メッセージを発行して、それをＧＳＭのＭＳＣへ送る。
【０１４４】
ＧＳＭのＭＳＣは、ハンドオーバ失敗メッセージをＧＳＭ１ｘのＭＳＮへ送るであろう。ＧＳＭ１ｘのＭＳＮは、異なる目標のＢＳＣ（ＧＳＭのＢＳＣ）と別のハンドオフが要求されたというメッセージを開始するか、または呼を切断することができる。ＭＳＮが別のハンドオフが要求されたというメッセージを開始しないと決めると、次のように動作するべきである。
【０１４５】
ＭＳＮがハンドオフが要求されたというメッセージを開始したときは、他のことは行われるべきではない。
ＢＳＣがハンドオフが要求されたというメッセージを開始すると、ＭＳＮは、ハンドオフ要求拒絶メッセージを送って、要求されたハンドオフを行うことができないことを示す。ハンドオフ要求拒絶メッセージを受信すると、ＣＤＭＡのＢＳＣ（ＧＳＭ１ｘのＢＳＣ）は、デバイスが処理を開始することに依存して、タイマT7をリセットすべきである。
【０１４６】
図１１は、ＧＳＭのＭＳＣにおいて無線資源の割り振りの失敗の呼の流れ図を示している。図１１は、ＭＳ1102、ＧＳＭ１ｘのＢＳＣ1104、ＧＳＭ１ｘのＭＳＮ1106、ＧＳＭのＭＳＣ1108、ＧＳＭのＢＳＳ1110、およびＧＳＭのＶＬＲ1112を示している。ＭＳ1102とＧＳＭ１ｘのＭＳＮ1106との間に会話1114が示されている。
【０１４７】
ステップ1121では、ＭＡＰハンドオーバ準備要求（ハンドオーバ要求）1121が、ＧＳＭ１ｘのＭＳＮ1106からＧＳＭのＭＳＣ1108へ送られる。ステップ1122では、（カプセル化された）ＧＳＭネットワークパラメータメッセージが、ＧＳＭ１ｘのＭＳＮ1106からＧＳＭのＢＳＣ1104へ送られる。ステップ1123では、（カプセル化された）ＧＳＭのネットワークパラメータメッセージが、ＧＳＭ１ｘのＢＳＣ1104からＭＳ1102へ送られる。ステップ1124では、ＭＡＰハンドオーバ番号割り振り要求が、ＧＳＭのＭＳＣ1108からＧＳＭのＶＬＲ1112へ送られる。ステップ1125では、ハンドオーバ要求が、ＧＳＭのＭＳＣ1108からＧＳＭのＢＳＳ1110へ送られる。ステップ1126では、ハンドオーバ失敗が、ＧＳＭのＢＳＳ1110からＧＳＭのＭＳＣ1108へ送られる。ステップ1127では、ＭＡＰハンドオーバ報告送付要求が、ＧＳＭのＶＬＲ1112からＧＳＭのＭＳＣ1108へ送られる。ステップ1128では、ＭＡＰハンドオーバ準備応答（ハンドオフ失敗）が、ＧＳＭのＭＳＣ1108からＧＳＭ１ｘのＭＳＮ1106へ送られる。
【０１４８】
不成功のハンドオーバの実行
ＭＳがＧＳＭのネットワークへのハンドオフに失敗すると、呼が切断されるであろう。この場合は、目標のＢＳＣ（ＧＳＭのＢＳＣ）上の割り振られた資源が解放されるであろう。これは、目標のＢＳＣ（ＧＳＭのＢＳＣ）においてタイマT3105によって制御される。
【０１４９】
図１２は、不成功のハンドオーバの実行の呼の流れ図を示している。図１２は、ＭＳ1202、ＧＳＭ１ｘのＢＳＣ1204、ＧＳＭ１ｘのＭＳＮ1206、ＧＳＭのＭＳＣ1208、ＧＳＭのＢＳＳ1210、およびＧＳＭのＶＬＲ1212を示している。ＭＳ1202とＧＳＭ１ｘのＭＳＮ1206との間に会話1214が示されている。
【０１５０】
ステップ1221では、ＭＡＰハンドオーバ準備要求（ハンドオーバ要求）1221が、ＧＳＭ１ｘのＭＳＮ1206からＧＳＭのＭＳＣ1208へ送られる。ステップ1222では、（カプセル化された）ＧＳＭのネットワークパラメータメッセージが、ＧＳＭ１ｘのＭＳＮ1206からＧＳＭ１ｘのＢＳＣ1204へ送られる。ステップ1223では、（カプセル化された）ＧＳＭのネットワークパラメータメッセージが、ＧＳＭ１ｘのＢＳＣ1204からＭＳ1202へ送られる。ステップ1224では、ＭＡＰハンドオーバ番号割り振り要求が、ＧＳＭのＭＳＣ1208からＧＳＭのＶＬＲ1212へ送られる。
【０１５１】
ステップ1225では、ハンドオーバ要求が、ＧＳＭのＭＳＣ1208からＧＳＭのＢＳＳ1210へ送られる。ステップ1226では、ハンドオーバ要求ＡＣＫが、ＧＳＭのＢＳＳ1210からＧＳＭのＭＳＣ1208へ送られる。ステップ1227では、ＭＡＰハンドオーバ報告送付要求が、ＧＳＭのＶＬＲ1212からＧＳＭのＭＳＣ1208へ送られる。ステップ1228では、ＭＡＰハンドオーバ準備応答（ハンドオフ失敗）が、ＧＳＭのＭＳＣ1208からＧＳＭ１ｘのＭＳＮ1206へ送られる。
【０１５２】
ステップ1229では、ＩＡＭが、ＧＳＭ１ｘ1206からＧＳＭのＭＳＣ1208へ送られる。ステップ1230では、ＭＡＰハンドオーバ報告送付応答が、ＧＳＭのＭＳＣ1208からＧＳＭのＶＬＲ1212へ送られる。ステップ1231では、ＡＣＭがＧＳＭのＭＳＣ1208からＧＳＭ１ｘのＭＳＮ1206へ送られる。ステップ1232では、（カプセル化された）ハンドオーバコマンドが、ＧＳＭ１ｘのＭＳＮ1206からＧＳＭ１ｘのＢＳＣ1204へ送られる。ステップ1233では、（カプセル化された）ハンドオーバコマンドが、ＧＳＭ１ｘのＢＳＣ1204からＭＳ1202へ送られる。
【０１５３】
ステップ1234では、（ＡＭＰＳへの）ハンドオフコマンドが、ＧＳＭ１ｘのＭＳＮ1206からＧＳＭ１ｘのＢＳＣ1204へ送られる。ステップ1235では、（ＡＭＰＳへの）ハンドオフコマンドが、ＧＳＭ１ｘのＢＳＣ1204からＭＳ1202へ送られる。ステップ1236では、ハンドオフ開始メッセージが、ＧＳＭ１ｘのＢＳＣ1204からＧＳＭ１ｘのＭＳＮ1206へ送られる。ステップ1237では、ＧＳＭネットワーク獲得関係が、ＭＳ1202とＧＳＭのＢＳＳ1210との間に作られる。ステップ1238では、ハンドオーバ失敗が、ＭＳ1202からＧＳＭ１ｘのＢＳＣ1204へ送られる。ステップ1239では、ハンドオーバ失敗が、ＧＳＭ１ｘのＢＳＣ1204からＧＳＭ１ｘのＭＳＮ1206へ送られる。ステップ1240では、ＭＡＰ−Ｕ−アボートがＧＳＭ１ｘのＭＳＮ1206から送られる。ステップ1241では、クリアコマンドが、ＧＳＭのＭＳＣ1208からＧＳＭのＢＳＳ1210へ送られる。ステップ1242では、クリア完了が、ＧＳＭのＢＳＳ1210からＧＳＭのＭＳＣ1208へ送られる。
【０１５４】
ハンドオフの同期化
実施形態にしたがうと、標準のＧＳＭのハンドオフにおいて、ＭＳが、そのハンドオフ先の新しいＢＳＣとの通信を同期させることができる４つの方法がある。表１７は、ハンドオフ同期方法を示している。
【０１５５】
【表１７】
2007524278.tif 000020
実施形態では、新しいＧＳＭのＢＳＣが、ハンドオフ中に使用する同期方法を決定する。しかしながら、ＣＤＭＡ（ＧＳＭ１ｘ）からＧＳＭへのハンドオフでは、非同期は、選択されることになる唯一の方法であり、選択されることができる唯一の方法である。したがって、ＣＤＭＡ（ＧＳＭ１ｘ）からＧＳＭへのハンドオーバを行うために、ＭＳは、非同期のハンドオーバ方法を支援する必要がある。
【０１５６】
非同期が使用されることができる理由を次に示す。
ＧＳＭ１ｘ（ＣＤＭＡ）のセルが、有効な“ローカルＧＳＭ時間”をもたず、したがって、それと新しいＧＳＭのセルとの間の有効なＲＴＤまたはＯＴＤを測定できない。このために、ＭＳは、新しいＢＳＣ（ＧＳＭのＢＳＣ）と同期するために必要とされるＴＡを計算することができず、したがって、非同期方法のみを使用することができる。
【０１５７】
ＧＳＭ１ｘ（ＣＤＭＡ）のセルは、標準のＧＳＭのＭＳが聴くことができる有効なＧＳＭのセルとして働くことができないので、ＧＳＭのセルの有効な隣り合う近隣のセルとしてリストに示されることができない。したがって、ＧＳＭ１ｘ（ＣＤＭＡ）のセルに関与するハンドオフは、新しいＢＳＣ（ＧＳＭのＢＳＣ）によって、未知の隣り合うセルからのハンドオフとしてみなされるであろう。このような場合に、新しいＢＳＣ（ＧＳＭのＢＳＣ）は、非同期方法を選択しなければならないであろう。
【０１５８】
ＧＳＭ１ｘ（ＣＤＭＡ）のセルが新しいＢＳＣ（ＧＳＭのＢＳＣ）のリストに示されている場合でさえ、そのリスティングは、新しいＢＳＣが、ＧＳＭ１ｘ（ＣＤＭＡ）のＢＴＳからのハンドオーバを受信するときに非同期方法を常に使用することを知っているように構成されることができる。
【０１５９】
ハンドオフ検出方法
このセクションは、ＧＳＭ１ｘからＧＳＭへのハードハンドオフ手続きの詳細な記述を与える。これは、主として、最後のシステム設計において最終的に採用されなかった案を対象とする。
図１３は、境界セルおよびパイロットビーコンを示している。ＧＳＭのみの受信可能範囲1302、1304、ＧＳＭの受信可能範囲およびオプションのＣＤＭＡ遷移セル1306、1308、境界セルトリガライン1310、1312、並びにＣＤＭＡ受信可能範囲およびオプションのＧＳＭ受信可能範囲1314、1316が示されている。
【０１６０】
技術間ハンドオフ（ＣＤＭＡからＧＳＭ）を行うことを可能にするために、いくつかの検出方法がある。図１３は、実施形態にしたがって、ＣＤＭＡ（ＧＳＭ１ｘ）とＧＳＭとによってカバーされる区域の例を示している。この例は、ハンドオフトリガ方法を説明しているテキストにおいて使用される。セル１ないし４はＣＤＭＡ（ＧＳＭ１ｘ）のセルであり、一方でセル５ないし９はＧＳＭのセルである。次のテキストでは、この例を使用して、可能なハンドオフトリガ方法を説明する。
【０１６１】
全ての検出方法において、ＧＳＭ１ｘのネットワークトポロジに関係する特別な情報は、ＧＳＭ１ｘのＭＳＮに保持されている。ネットワーク内の各セルにおいて、全ての近隣セルがリストに示されている。これらのセルがＧＳＭのセルであるとき、ＦＣＣＨおよびＳＣＨの周波数チャネルに関係する別の情報も与えられる。
【０１６２】
パイロットビーコンユニット
パイロットビーコンユニットは、余分な装備を取り除いたＣＤＭＡセルであり、パイロットチャネルのみを伝送する。これらは、ＧＳＭ１ｘの受信可能範囲区域と境界を接しているＧＳＭのセルと物理的に並置されている。図１３において、セル５、７、および８は、パイロットビーコンユニットを含む。ＭＳの観点から、パイロットビーコンユニットは、別のＣＤＭＡシステムに属する標準のＣＤＭＡの近隣セルである。ＭＳは、その強度を測定し、適切な閾値の条件が満たされると、ＧＳＭ１ｘのＢＳＣへ報告する。
【０１６３】
ＭＳが、そのアクティブな組に加えられるのに十分強いパイロットビーコンを報告するとき、およびＭＳの基準パイロットが、報告されたパイロットビーコンの地理的に近隣であるＧＳＭ１ｘのセルのものであるとき、ＧＳＭ１ｘのＢＳＣは、ＭＳがＧＳＭ１ｘの受信可能範囲区域の境界に近付いていると仮定する。したがって、ＧＳＭ１ｘのＢＳＣは、ＣＤＭＡのハードハンドオフ手続きをトリガし、要求をＧＳＭ１ｘのＭＳＮへ送る。この要求は、ＧＳＭ１ｘのＭＳＮに到達する。ＧＳＭ１ｘのネットワークトポロジを知っているＧＳＭ１ｘのＭＳＮは、ハンドオフのための指定セルとして最初に報告されたパイロットビーコンと並置されるＧＳＭのセルへの技術間ハンドオフ手続きを開始する。
【０１６４】
パイロットビーコン方法は、試験および実行するのに、信頼でき、かつ比較的に簡単である。しかしながら、これには、いくつかの欠点がある。
ＧＳＭ１ｘのネットワークが最初に配備されるとき、および各ネットワークトポロジの変更中に、近隣リスト表を更新する必要がある。
【０１６５】
これは、追加のハードウエア（パイロットビーコンユニット）および追加の設置を必要とする。
ＭＳは、ハンドオフを行なうように命令されるまで、ＧＳＭのＲＡＮに気付かない。ＭＳは、ハンドオフ手続き中に、ＧＳＭのＲＡＮ上で専用モードに入ることができる前に、ＧＳＭのＦＣＣＨおよびＳＣＨを獲得しなければならない。
【０１６６】
境界セル
ＧＳＭ１ｘのＭＳＮは、ＧＳＭ１ｘの受信可能範囲区域の境界に沿っていて、各々がＧＳＭのセルと境界を接しているセクタのリストをもつように構成されている。上述の例では、ＧＳＭ１ｘのＭＳＮにおいて、セクタ２γ、２β、３β、および４βは境界セルとして構成されている。ＭＳがこのようなセクタに入るとき、ＭＳＮの動作は、パイロットビーコンの場合に似ている（０参照）。
【０１６７】
境界セル方法の主な長所は、これが何らの追加のハードウエアを必要としないことである。しかしながら、これはいくつかの欠点をもつ。
ＧＳＭ１ｘのネットワークが最初に配備されるとき、および各ネットワークトポロジの変更中に、近隣リスト表を更新する必要がある。
【０１６８】
ＭＳは、ハンドオフを行うように命令されるまで、ＧＳＭのＲＡＮに気付かない。ＭＳは、ハンドオフ手続き中に、ＧＳＭのＲＡＮ上で専用モードに入ることができる前に、ＧＳＭのＦＣＣＨおよびＳＣＨを獲得しなければならない。
遷移セル
遷移セルは、低容量のＧＳＭ１ｘのセルであり、これは、パイロットビーコンユニットと同様に、ＧＳＭの受信可能範囲区域にオーバーラップしている。例では、ＧＳＭのセル５、７、および８は、それらと並置されるＧＳＭ１ｘの遷移セルをもち得る。ＭＳが遷移セルに（ＣＤＭＡのように）ソフトハンドされると、ＧＳＭ１ｘのＭＳＮは、ＧＳＭのネットワークへの技術間ハードハンドオフを直ちに開始する。
【０１６９】
遷移セル方法の長所は、パイロットビーコン方法のそれと非常に似ている。さらに加えて、この方法は、ハンドオフのトリガからハンドオフの実行への予想遅延に対して、より寛容である。しかしながら、これはいくつかの欠点をもつ。
ＧＳＭ１ｘのネットワークが最初に配備されるとき、および各ネットワークトポロジの変更中に、近隣リスト表を更新する必要がある。
【０１７０】
この方法は、冗長インフラストラクチャ装置を使用することに基づく。遷移セルは、実際には、ＧＳＭ１ｘのネットワークとＧＳＭのネットワークとの間の円滑な伝送を可能にするための緩衝器である。
ＭＳは、ハンドオフを行うように命令されるまで、ＧＳＭのＲＡＮに気付かない。ＭＳは、ハンドオフ手続き中に、ＧＳＭのＲＡＮ上で専用モードに入ることができる前に、ＧＳＭのＦＣＣＨおよびＳＣＨを獲得しなければならない。
【０１７１】
変更される候補周波数のサーチ
この方法では、ＭＳは、その伝送を所定の時間間隔で停止し、そのＲＦチェーンに同調して、ＧＳＭのネットワークセルを受信し、復号し、その強度をＧＳＭ１ｘのＭＳＮに報告する。この方法は、いくつかの欠点をもつ。
【０１７２】
専用チャネル上での伝送の中断は、音声品質に影響を及ぼすであろう。したがって、ＭＳが送信／受信しない時間期間の継続期間は、適切なサービス品質の維持は最低限であるはずである。
これは、２つの周波数間におけるＲＦチェーンの高速同調を必要として、他の技術から十分な情報を受信し、復号することができる。
【０１７３】
デュアルＲＸチェーン
この方法では、ＭＳは第２のＲＸチェーンをもち、これは、ＧＳＭネットワークのセルを受信し、復号し、その強度をＧＳＭ１ｘのＲＡＮへ報告するように、変えられることができる。この方法を使用して、呼は、ＧＳＭ１ｘのネットワーク上での何らの中断なく、続行することができ、一方で、ＭＳも、ＧＳＭのネットワークを監視する。この方法はいくつかの欠点をもつ：
ＧＳＭのネットワークを監視するための特別のハードウエアが必要である；
第２のＲＸチェーンのために、電力消費がより高い；
２つのプロトコルスタック（ＧＳＭ１ｘおよびＧＳＭ）を並行して実行する必要がある。
【０１７４】
ハンドオフ検出方法の選択
前のセクションでは、いくつかの検出技術が提示された：
パイロットビーコン；
（位置に基づく）境界セル；
遷移セル；
ゲート伝送；
デュアルＲＸチェーン。
２つのＭＳに援助される方法、すなわち、ゲート伝送およびデュアルＲＸチェーンは、目標のＭＳＭ（ＭＳＭ−６３００）の制約のために、最初の製品発売のオプションではない。さらに加えて、ＲＡＮ側（ＣＤＭＡ）で要求される支援のレベルは保証されず、（ＣＤＭＡおよびＧＳＭの両者の）ＭＳのソフトウエアの複雑さのレベルは、比較的に高い。他の３つの方法は、ネットワークが開始する。
【０１７５】
パイロットビーコンユニットまたは遷移セルを使用することに基づく２つの技術は、配備が非常に複雑で、コスト高であることを伴うが、これらは、基本的なＣＤＭＡのＲＡＮの特徴を使用する。これらのユニットの再配備に関係する動作の複雑さのレベルは、ネットワークトポロジが変わるたびに、それらに不利に働く。
【０１７６】
残された唯一の関連する技術は、（位置に基づく）境界セルのアプローチを使用することに基づく。これは、システム間のハードハンドオフを開始するためのＧＳＭ１ｘのＭＳＮの決定基準が、ＭＳと、サービスしているセルとの間の距離を考慮に入れることを仮定する。この方法は、ＭＳにおけるｇｐｓＯｎｅ技術の使用、およびＧＳＭ１ｘのＭＳＮレベルにおけるハンドオフ手続きの制御を必要とする。
【０１７７】
したがって、この文書において定められている別の設計は、ハンドオフ検出技術として、境界セルを使用することに基づく。同システム設計は、パイロットビーコンユニットまたは遷移セルに非常に小さい変更を加えて適用されることができる。
本明細書において詳しく示され、記載されているＧＳＭのハードハンドオフのための特定のシステムおよび方法は、本発明の上述の目的を十分に実現することができる一方で、これは、本発明の現在の好ましい実施形態であり、したがって、本発明によって広く検討されている主題を表わしていること、本発明の技術的範囲は、当業者には明らかになり得る他の実施形態を十分に含むこと、並びに、したがって、本発明の技術的範囲は、特許請求項以外のものによって制限されないことが理解される。特許請求項の中で、要素が単数形で参照されていることは、“１つ、しかも１つのみ”を意味することを、そのように明示的に記載されていない限りは、意図されておらず、むしろ、“１つ以上”であることを意図されている。当業者に知られている、または後で知られることになる上述の好ましい実施形態の要素の、構造上および機能上の全ての対応するものは、本明細書において参照によって取り入れられ、本明細書の特許請求項によって含まれることが意図されている。さらに加えて、デバイスまたは方法が、本発明によって解決されることが求められる各および全ての問題に対処していること、すなわち、それが、本発明の特許請求項によって含まれることは、必須ではない。さらに加えて、本発明の開示における要素、構成要素、または方法ステップは、特許請求項内に明示的に記載されている要素、構成要素、または方法ステップであるかどうかとは無関係に、何れも、一般向けであることを意図されていない。この中で権利を主張している要素は、“のための手段（means for）”という語句を使用して明示的に記載されていないならば、または方法の特許請求項の場合は、“動作（act）”ではなく、“ステップ（step）”として記載されていない限り、米国特許法第１１２条、第６項の規定のもとで解釈されない。
【０１７８】
方法ステップは、本発明の技術的範囲から逸脱することなく、交換されることができる。
【図面の簡単な説明】
【０１７９】
【図１】実施形態にしたがって、高レベルのネットワークトポロジを示す図。
【図２】実施形態にしたがって、ＧＳＭ１ｘとＧＳＭのプロトコルスタックとの間の切り換えと関係付けられたタイミングを示す図。
【図３】実施形態にしたがって、ＧＳＭ信号獲得のためのメッセージの流れを示す図。
【図４】実施形態にしたがって、パイロットビーコンユニット（遷移セル）を示す図。
【図５】検出点502を示す図。
【図６】実施形態にしたがって、メッセージの流れ図。
【図７】実施形態にしたがって、ＧＳＭのエネルギー測定を示す図。
【図８】候補周波数サーチを使用するＧＳＭの測定を示す図。
【図９】実施形態にしたがって、ＧＳＭ１ｘからＧＳＭへのハンドオフメッセージの流れ図。
【図１０】実施形態にしたがって、ＭＡＰプロトコルのエラーの呼の流れ図。
【図１１】ＧＳＭのＭＳＣにおいて無線資源の割り振りの失敗の呼の流れ図。
【図１２】実施形態にしたがって、不成功のハンドオーバの実行の呼の流れ図。
【図１３】実施形態にしたがって、ＣＤＭＡ（ＧＳＭ１ｘ）とＧＳＭとによってカバーされる区域の例を示す図。
【図１４】実施形態にしたがって、ＧＳＭ１ｘおよびＧＳＭのスタックに結合された受信機／送信機チェーンのブロック図。
【図１】
2007524278.tif 000021
【図２】
2007524278.tif 000022
【図３】
2007524278.tif 000023
【図４】
2007524278.tif 000024
【図５】
2007524278.tif 000025
【図６】
2007524278.tif 000026
【図７】
2007524278.tif 000027
【図８】
2007524278.tif 000028
【図９】
2007524278.tif 000029
【図１０】
2007524278.tif 000030
【図１１】
2007524278.tif 000031
【図１２】
2007524278.tif 000032
【図１３】
2007524278.tif 000033
【図１４】
2007524278.tif 000034
【国際調査報告】
2007524278.tif 000035